(57)【要約】  ピアツーピアネットワークにおける長距離発見に対する自動利得制御設定を予測するための方法、システム、装置およびデバイスが説明される。一構成では、リソースの第１のセットの各リソースのエネルギーが、推定され得る。ピアツーピアネットワークにおける長距離発見のために使用されるリソースの第２のセットの総エネルギーが、予測され得る。予測された総エネルギーは、リソースの第１のセットの各リソースの推定エネルギーに少なくとも部分的に基づき得る。リソースの第２のセットに対する自動利得制御設定は、予測された総エネルギーに少なくとも部分的に基づいて予測され得る。
2016536917.tif 000002
【特許請求の範囲】
【請求項１】
ピアツーピアネットワークにおける長距離発見に対する自動利得制御設定を予測するための方法であって、
リソースの第１のセットの各リソースのエネルギーを推定することと、
前記ピアツーピアネットワークにおける長距離発見のために使用されるリソースの第２のセットの総エネルギーを予測することと、前記予測された総エネルギーが、リソースの前記第１のセットの各リソースの前記推定エネルギーに少なくとも部分的に基づく、
リソースの前記第２のセットに対する自動利得制御設定を予測することと、前記自動利得制御設定が、前記予測された総エネルギーに少なくとも部分的に基づいて予測される、
を備える方法。
【請求項２】
リソースの前記第１のセットの各リソースの前記エネルギーを推定することが、
前記ピアツーピアネットワークにおける短距離発見のために使用されるリソース当たりのエネルギーを推定することを備える、請求項１に記載の方法。
【請求項３】
リソースが短距離発見のために使用される時間期間が、リソースが長距離発見のために使用される時間期間より短い、請求項２に記載の方法。
【請求項４】
リソースの前記第１のセットのうちの単一のリソースが、長距離発見のために使用されるリソースの複数の前記第２のセットにマッピングされる、請求項１に記載の方法。
【請求項５】
リソースの前記複数の前記第２のセットが、１つの時間リソースブロック内で周波数多重化される、請求項４に記載の方法。
【請求項６】
リソースの前記第１のセットの各リソースの前記推定エネルギーを合計することと、
リソースの前記第１のセットの各リソースの前記合計された推定エネルギーに少なくとも部分的に基づいて、ある時間期間の間に、長距離発見のために使用されるリソースの前記第２のセットの前記総エネルギーを予測することとをさらに備える、請求項１に記載の方法。
【請求項７】
長距離発見のために使用されるリソースの前記第２のセットの前記総エネルギーを予測することが、
前記合計された推定エネルギーをスケーリングすることを備える、請求項６に記載の方法。
【請求項８】
リソースの前記第１のセットの前記リソースおよびリソースの前記第２のセットの前記リソースが、多重化される時間リソースと周波数リソースとを備える、請求項１に記載の方法。
【請求項９】
前記予測された自動利得制御設定に少なくとも部分的に基づいて長距離発見のために使用される少なくとも１つの受信機の利得を調整することと、
前記少なくとも１つの受信機の前記利得を調整した後、リソースの前記第２のセットのうちの少なくとも１つのリソースを介して送信を受信することとをさらに備える、請求項１に記載の方法。
【請求項１０】
リソースの前記第１のセットの各リソースの前記推定エネルギーに少なくとも部分的に基づいて、今後のエネルギー送信のためにリソースの前記第１のセットのうちの１つのリソースを選択することをさらに備える、請求項１に記載の方法。
【請求項１１】
前記ピアツーピアネットワークにおける少なくとも１つのピアが、リソースの前記第１のセットのうちの少なくとも１つのリソースの上で短距離送信を送信する、請求項１に記載の方法。
【請求項１２】
リソースの前記第１のセット内のリソースの数が、リソースの前記第２のセット内のリソースの数より少ない、請求項１に記載の方法。
【請求項１３】
リソースの前記第２のセットを介してエネルギーを受信する前に、リソースの前記第１のセットを介してエネルギーを受信することをさらに備える、請求項１に記載の方法。
【請求項１４】
ピアツーピアネットワークにおける長距離発見に対する自動利得制御設定を予測するための装置であって、
リソースの第１のセットの各リソースのエネルギーを推定するための手段と、
前記ピアツーピアネットワークにおける長距離発見のために使用されるリソースの第２のセットの総エネルギーを予測するための手段と、前記予測された総エネルギーが、リソースの前記第１のセットの各リソースの前記推定エネルギーに少なくとも部分的に基づく、
リソースの前記第２のセットに対する自動利得制御設定を予測するための手段と、前記自動利得制御設定が、前記予測された総エネルギーに少なくとも部分的に基づいて予測される、
を備える装置。
【請求項１５】
リソースの前記第１のセットの各リソースの前記エネルギーを推定するための前記手段が、
前記ピアツーピアネットワークにおける短距離発見のために使用されるリソース当たりのエネルギーを推定するための手段を備える、請求項１４に記載の装置。
【請求項１６】
リソースが短距離発見のために使用される時間期間が、リソースが長距離発見のために使用される時間期間より短い、請求項１５に記載の装置。
【請求項１７】
リソースの前記第１のセットのうちの単一のリソースが、長距離発見のために使用されるリソースの複数の前記第２のセットにマッピングされる、請求項１４に記載の装置。
【請求項１８】
リソースの前記複数の前記第２のセットが、１つの時間リソースブロック内で周波数多重化される、請求項１７に記載の装置。
【請求項１９】
リソースの前記第１のセットの各リソースの前記推定エネルギーを合計するための手段と、
リソースの前記第１のセットの各リソースの前記合計された推定エネルギーに少なくとも部分的に基づいて、ある時間期間の間に、長距離発見のために使用されるリソースの前記第２のセットの前記総エネルギーを予測するための手段とをさらに備える、請求項１４に記載の装置。
【請求項２０】
長距離発見のために使用されるリソースの前記第２のセットの前記総エネルギーを予測するための前記手段が、
前記合計された推定エネルギーをスケーリングするための手段を備える、請求項１９に記載の装置。
【請求項２１】
リソースの前記第１のセットの前記リソースおよびリソースの前記第２のセットの前記リソースが、多重化される時間リソースと周波数リソースとを備える、請求項１４に記載の装置。
【請求項２２】
前記予測された自動利得制御設定に少なくとも部分的に基づいて長距離発見のために使用される少なくとも１つの受信機の利得を調整するための手段と、
前記少なくとも１つの受信機の前記利得を調整した後、リソースの前記第２のセットのうちの少なくとも１つのリソースを介して送信を受信するための手段とをさらに備える、請求項１４に記載の装置。
【請求項２３】
リソースの前記第１のセットの各リソースの前記推定エネルギーに少なくとも部分的に基づいて、今後のエネルギー送信のためにリソースの前記第１のセットのうちの１つのリソースを選択するための手段をさらに備える、請求項１４に記載の装置。
【請求項２４】
前記ピアツーピアネットワークにおける少なくとも１つのピアが、リソースの前記第１のセットのうちの少なくとも１つのリソースの上で短距離送信を送信する、請求項１４に記載の装置。
【請求項２５】
リソースの前記第１のセット内のリソースの数が、リソースの前記第２のセット内のリソースの数より少ない、請求項１４に記載の装置。
【請求項２６】
リソースの前記第２のセットを介してエネルギーを受信する前に、リソースの前記第１のセットを介してエネルギーを受信するための手段をさらに備える、請求項１４に記載の装置。
【請求項２７】
ピアツーピアネットワークにおける長距離発見に対する自動利得制御設定を予測するための装置であって、
プロセッサと、
前記プロセッサと電子通信しているメモリと、
前記メモリに記憶された命令とを備え、前記命令が、前記プロセッサによって、
リソースの第１のセットの各リソースのエネルギーを推定することと、
前記ピアツーピアネットワークにおける長距離発見のために使用されるリソースの第２のセットの総エネルギーを予測することと、前記予測された総エネルギーが、リソースの前記第１のセットの各リソースの前記推定エネルギーに少なくとも部分的に基づく、
リソースの前記第２のセットに対する自動利得制御設定を予測することと、前記自動利得制御設定が、前記予測された総エネルギーに少なくとも部分的に基づいて予測される、
を実行可能である、装置。
【請求項２８】
リソースの前記第１のセットの各リソースの前記エネルギーを推定することを前記プロセッサによって実行可能である前記命令が、
前記ピアツーピアネットワークにおける短距離発見のために使用されるリソース当たりのエネルギーを推定することを前記プロセッサによって実行可能である命令を備える、請求項２７に記載の装置。
【請求項２９】
リソースの前記第１のセットのうちの単一のリソースが、長距離発見のために使用されるリソースの複数の前記第２のセットにマッピングされる、請求項２７に記載の装置。
【請求項３０】
ワイヤレス通信のためのコンピュータ実行可能コードを記憶する非一時的コンピュータ可読媒体であって、前記コードが、プロセッサによって、
リソースの第１のセットの各リソースのエネルギーを推定することと、
前記ピアツーピアネットワークにおける長距離発見のために使用されるリソースの第２のセットの総エネルギーを予測することと、前記予測された総エネルギーが、リソースの前記第１のセットの各リソースの前記推定エネルギーに少なくとも部分的に基づく、
リソースの前記第２のセットに対する自動利得制御設定を予測することと、前記自動利得制御設定が、前記予測された総エネルギーに少なくとも部分的に基づいて予測される、
を実行可能である、装置。
【発明の詳細な説明】
【技術分野】
【０００１】
相互参照
[0001]本特許出願は、各々が本出願の譲受人に譲渡された、２０１４年７月３０日に出願された、「Ｕｓｉｎｇ  Ｓｈｏｒｔ  Ｒａｎｇｅ  Ｄｉｓｃｏｖｅｒｙ  ｔｏ  Ｐｒｅｄｉｃｔ  ｔｈｅ  ＡＧＣ  Ｓｅｔｔｉｎｇ  ｆｏｒ  Ｌｏｎｇ  Ｒａｎｇｅ  Ｄｉｓｃｏｖｅｒｙ」と題する、Ｇｕｌａｔｉらによる米国特許出願第１４／４４７，２３９号、および２０１３年９月１１日に出願された、「Ｕｓｉｎｇ  Ｓｈｏｒｔ  Ｒａｎｇｅ  Ｄｉｓｃｏｖｅｒｙ  ｔｏ  Ｐｒｅｄｉｃｔ  ｔｈｅ  ＡＧＣ  Ｓｅｔｔｉｎｇ  ｆｏｒ  Ｌｏｎｇ  Ｒａｎｇｅ  Ｄｉｓｃｏｖｅｒｙ」と題する、Ｇｕｌａｔｉらによる米国仮特許出願第６１／８７６，５９７号の優先権を主張する。
【０００２】
[0002]以下は、一般にワイヤレス通信に関し、より詳細には、ピアツーピアネットワークにおけるピア発見に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数および出力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]概して、ワイヤレス多元接続通信システムは、各々が複数のユーザ機器（ＵＥ）のための通信を同時にサポートする、いくつかの基地局を含み得る。基地局は、ダウンストリームリンクおよびアップストリームリンク上でＵＥと通信し得る。各基地局は、セルのカバレージエリアと呼ばれることがあるカバレージ範囲を有する。いくつかの場合には、ＵＥは、（たとえば、アクセスポイントを介さない）ピアツーピアネットワークにおいてそのピアと直接通信することができる。一部には、ピアツーピア通信に参加することを要望するＵＥはモバイルデバイスであり得るので、ＵＥはピア発見プロセスに周期的に関与する場合があり、そのことが、ＵＥの各々による１つまたは複数のピア発見信号をブロードキャストすることと、他のＵＥのピア発見信号を受信することとを伴う場合がある。
【発明の概要】
【０００５】
[0005]説明される特徴は、概して、ピアツーピアネットワークにおける長距離発見に対する自動利得制御（ＡＧＣ）設定を予測するための、１つまたは複数の改善された方法、システム、装置および／またはデバイスに関する。いくつかの場合には、ＵＥがピアツーピアネットワークを介してピアと通信する前に関与するピア発見プロセスは、近くのピアを検出するための短距離発見プロセスと、遠く離れたピアを検出するための長距離発見プロセスとを含み得る。長距離発見プロセスの間に、ＵＥは、より高エネルギー送信を受信する場合があり、したがって、少なくとも１つの受信機を飽和させることを回避するために、少なくとも１つの受信機の利得を調整する必要がある場合がある。いくつかの場合には、受信機の利得は、長距離発見プロセス中にリアルタイムで調整され得る。しかしながら、これは、より複雑なおよび／またはより高価な受信機を必要とする場合がある。長距離発見プロセスの前に長距離発見に対するＡＧＣ設定を予測し、それによってあまり複雑でない、および／またはあまり高価でない受信機の使用を可能にし得る方法、システム、装置および／またはデバイスが、本明細書で説明される。
【０００６】
[0006]一態様によれば、ピアツーピアネットワークにおける長距離発見に対するＡＧＣ設定を予測するための方法が、説明される。一構成では、リソースの第１のセットの各リソースのエネルギーが、推定され得る。ピアツーピアネットワークにおける長距離発見のために使用されるリソースの第２のセットの総エネルギーが、予測され得る。予測された総エネルギーは、リソースの第１のセットの各リソースの推定エネルギーに少なくとも部分的に基づき得る。リソースの第２のセットに対するＡＧＣ設定は、予測された総エネルギーに少なくとも部分的に基づいて予測され得る。
【０００７】
[0007]いくつかの例では、リソースの第１のセットの各リソースのエネルギーを推定することは、ピアツーピアネットワークにおける短距離発見のために使用される、リソース当たりのエネルギーを推定することを含み得る。いくつかの場合には、リソースが短距離発見のために使用される時間期間は、リソースが長距離発見のために使用される時間期間より短い場合がある。
【０００８】
[0008]いくつかの例では、リソースの第１のセットのうちの単一のリソースは、長距離発見のために使用されるリソースの複数の第２のセットにマッピングされ得る。いくつかの場合には、リソースの複数の第２のセットは、１つの時間リソースブロック内で周波数多重化され得る。
【０００９】
[0009]いくつかの例では、リソースの第１のセットの各リソースの推定エネルギーが合計されてよく、長距離発見のために使用されるリソースの第２のセットの総エネルギーは、リソースの第１のセットの各リソースの合計された推定エネルギーに少なくとも部分的に基づいて、ある時間期間の間に予測され得る。いくつかの場合には、長距離発見のために使用されるリソースの第２のセットの総エネルギーを予測することは、合計された推定エネルギーをスケーリングすることを含み得る。
【００１０】
[0010]いくつかの例では、リソースの第１のセットのリソースおよびリソースの第２のセットのリソースは、多重化される時間リソースと周波数リソースとを含み得る。
【００１１】
[0011]いくつかの例では、長距離発見のために使用される少なくとも１つの受信機の利得は、予測された自動利得制御設定に少なくとも部分的に基づいて調整されてよく、少なくとも１つの受信機の利得を調整した後、送信は、リソースの第２のセットのうちの少なくとも１つのリソースを介して受信され得る。
【００１２】
[0012]いくつかの例では、リソースの第１のセットのうちの１つのリソースが、リソースの第１のセットの各リソースの推定エネルギーに少なくとも部分的に基づいて、今後のエネルギー送信のために選択され得る。
【００１３】
[0013]いくつかの例では、ピアツーピアネットワークにおける少なくとも１つのピアが、リソースの第１のセットのうちの少なくとも１つのリソースの上で短距離送信を送信し得る。
【００１４】
[0014]いくつかの例では、リソースの第１のセット内のリソースの数は、リソースの第２のセット内のリソースの数より少なくてよい。
【００１５】
[0015]いくつかの例では、エネルギーは、リソースの第２のセットを介してエネルギーを受信する前に、リソースの第１のセットを介して受信され得る。
【００１６】
[0016]別の態様では、ピアツーピアネットワークにおける長距離発見に対する自動利得制御設定を予測するための装置が、同様に説明される。一構成では、装置は、リソースの第１のセットの各リソースのエネルギーを推定するための手段と、ピアツーピアネットワークにおける長距離発見のために使用されるリソースの第２のセットの総エネルギーを予測するための手段と、リソースの第２のセットに対する自動利得制御設定を予測するための手段とを含み得る。予測された総エネルギーは、リソースの第１のセットの各リソースの推定エネルギーに少なくとも部分的に基づき得る。自動利得制御設定は、予測された総エネルギーに少なくとも部分的に基づいて予測され得る。いくつかの例では、装置は、ピアツーピアネットワークにおける長距離発見に対する自動利得制御設定を予測するための方法に関して上記で説明された機能の１つまたは複数の態様を実装するための手段を含み得る。
【００１７】
[0017]別の態様によれば、ピアツーピアネットワークにおける長距離発見に対する自動利得制御設定を予測するための装置が、提供される。いくつかの例では、装置は、プロセッサと、プロセッサと電子通信しているメモリと、メモリに記憶された命令とを含み得る。命令は、プロセッサによって、リソースの第１のセットの各リソースのエネルギーを推定することと、ピアツーピアネットワークにおける長距離発見のために使用されるリソースの第２のセットの総エネルギーを予測することと、リソースの第２のセットに対する自動利得制御設定を予測することとを実行可能であり得る。予測された総エネルギーは、リソースの第１のセットの各リソースの推定エネルギーに少なくとも部分的に基づき得る。自動利得制御設定は、予測された総エネルギーに少なくとも部分的に基づいて予測され得る。いくつかの例では、命令はさらに、プロセッサに、ピアツーピアネットワークにおける長距離発見に対する自動利得制御設定を予測するための方法に関して上記で説明された機能の１つまたは複数の態様を実施させ得る。
【００１８】
[0018]さらに別の態様によれば、ピアツーピアネットワークにおける長距離発見に対する自動利得制御設定を予測するためのコンピュータプログラム製品が、同様に説明される。本コンピュータプログラム製品は、プロセッサによって実行可能な命令を記憶する非一時的コンピュータ可読媒体を含み得る。命令は、プロセッサによって、リソースの第１のセットの各リソースのエネルギーを推定することと、ピアツーピアネットワークにおける長距離発見のために使用されるリソースの第２のセットの総エネルギーを予測することと、リソースの第２のセットに対する自動利得制御設定を予測することとを実行可能であり得る。予測された総エネルギーは、リソースの第１のセットの各リソースの推定エネルギーに少なくとも部分的に基づき得る。自動利得制御設定は、予測された総エネルギーに少なくとも部分的に基づいて予測され得る。いくつかの例では、命令はさらに、プロセッサに、ピアツーピアネットワークにおける長距離発見に対する自動利得制御設定を予測するための方法に関して上記で説明された機能の１つまたは複数の態様を実施させ得る。
【００１９】
[0019]説明される方法および装置の適用可能性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００２０】
[0020]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。本明細書で第１の参照ラベルだけが使用される場合、説明は、第２の参照ラベルにかかわらず、同一の第１の参照ラベルを有する同様の構成要素のうちの任意の１つに適用可能である。
【図面の簡単な説明】
【００２１】
【図１】[0021]ワイヤレス通信システムの一例のブロック図。
【図２】[0022]様々な例による受信機モジュール（たとえば、ＵＥの受信機モジュール）の一例のブロック図。
【図３】[0023]様々な例によるデバイス（たとえば、ＵＥ）の一例のブロック図。
【図４】[0024]様々な例によるデバイス（たとえば、ＵＥ）の別の例のブロック図。
【図５】[0025]様々な例によるピアツーピア発見管理モジュールの一例のブロック図。
【図６】[0026]様々な例によるＵＥの一例のブロック図。
【図７】[0027]様々な例によるピア発見プロセス中のリソースの例示的な割振りを示す図。
【図８】[0028]一例による、ピアツーピアネットワークにおける長距離発見に対するＡＧＣ設定を予測するための例示的な方法のフローチャート。
【図９】一例による、ピアツーピアネットワークにおける長距離発見に対するＡＧＣ設定を予測するための例示的な方法のフローチャート。
【図１０】一例による、ピアツーピアネットワークにおける長距離発見に対するＡＧＣ設定を予測するための例示的な方法のフローチャート。
【発明を実施するための形態】
【００２２】
[0029]ピアツーピアネットワークにおける長距離発見に対する自動利得制御（ＡＧＣ）設定の予測が、説明される。特に、短距離発見のために使用されるリソースのセットなど、リソースの第１のセット上の送信が、長距離発見のために使用されるリソースの第２のセットの総エネルギーを予測するために使用される方法、システム、装置および／またはデバイスが説明される。リソースの第１のセットは、総数の発見リソースのうちの小さいサブセットであってよく、より高い電力送信が長距離発見のために使用されるリソースの第２のセットを介して行われる前に、より低い電力送信が行われるリソースであってよい。
【００２３】
[0030]ピアツーピア（Ｐ２Ｐ）ネットワークは、本質的にアドホックであり、ピアツーピア通信は、周期的レート（たとえば、２０秒ごと）で他のデバイス（すなわち、ピア）の存在を最初に検出することによって可能にされる。ピアは、セルラー基地局からシグナリングすることなく互いに発見することができる。発見プロセスの間に、デバイスは、それらの存在を告知するために、高電力（たとえば、電力制御されない電力）において送信することができる。高電力の使用は、互いにかなり離れた距離に位置するデバイスの発見を可能にする。しかしながら、ピアデバイス間の距離において大きい変動（たとえば、数センチメートル〜数百メートル）を示すピアツーピアネットワークでは、これは、経時的にピアデバイスにおいて受信されるエネルギーにおける著しい変動と言い換えることができ、そのことが、ひいては、デバイスの受信機を変動に適応させるためにＡＧＣの使用を避けがたくする場合がある。その上、デバイスピアがモバイルであり、極めて接近しており、ピアツーピアネットワークへの加入またはそこからの退出を頻繁に行う場合があるピアツーピアネットワークの動的性質によって、受信されたエネルギーの変動は、予測不能である場合がある。したがって、ＡＧＣアルゴリズムは、ピアツーピアネットワークにおける発見プロセスの間にデバイス受信機において受信されるエネルギーにおける予測できない大きい変動を考慮する必要がある場合がある。
【００２４】
[0031]理想的には、デバイス受信機は、迅速な送受反転時間で（たとえば、ＬＴＥ（登録商標）ダイレクトに対して数十マイクロ秒以内で）受信されたエネルギーの変化に適応することができる。しかしながら、迅速な送受反転時間（すなわち、高速ＡＧＣ）の要件は、ハードウェアとファームウェアとの間の緊密な結合を必要とし、同じく、ハードウェアに関連する事項（たとえば、利得が変化した後の低い整定時間）を有する場合があるので、その要件は、受信機設計を複雑にする場合がある。したがって遅い送受反転時間を有することは、魅力的な選択となる場合がある。遅いレートで大きい予測不能なエネルギー変動に適応するという相反する要件を満たすために、本明細書で説明される方法、システム、装置および／またはデバイスは、長距離発見に対するＡＧＣ設定を厳密に予測するために、短距離発見の間に導出されたいくつかの副次的情報を使用し、それによって、高速ＡＧＣの必要性を排除する。
【００２５】
[0032]以下の説明は例を提供するものであり、特許請求の範囲に記載される範囲、適用性、または構成を限定するものではない。本開示の趣旨および範囲から逸脱することなく、説明される要素の機能および配置において変更が行われ得る。様々な例は、適宜に様々なプロシージャまたは構成要素を省略、置換、または追加し得る。たとえば、説明される方法は、説明されるのとは異なる順序で実施され得、様々なステップが追加、省略、または組み合わされ得る。また、いくつかの例に関して説明する特徴は、他の例において組み合わせられ得る。
【００２６】
[0033]最初に図１を参照すると、図はワイヤレス通信システム１００の一例を示している。ワイヤレス通信システム１００は、複数のアクセスポイント（たとえば、基地局、ｅノードＢ（ｅＮＢ）、またはワイヤレスローカルエリアネットワーク（ＷＬＡＮ）アクセスポイント）１０５と、いくつかのＵＥ１１５と、コアネットワーク１３０とを含む。アクセスポイント１０５のうちのいくつかは、様々な例ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５のうちのいくつかは、バックホールリンク１３２を通してコアネットワーク１３０と制御情報および／またはユーザデータを通信し得る。いくつかの例では、アクセスポイント１０５のうちのいくつかは、有線またはワイヤレス通信リンクであり得るバックホールリンク１３４を介して互いと直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２７】
[0034]アクセスポイント１０５は、１つまたは複数のアクセスポイントアンテナを介してＵＥ１１５とワイヤレス通信し得る。アクセスポイント１０５の各々は、通信カバレージをそれぞれのカバレージエリア１１０に与え得る。いくつかの例では、アクセスポイント１０５は、基地局、基地トランシーバ局、無線基地局、無線トランシーバ、基本サービスセット（ＢＳＳ：basic service set）、拡張サービスセット（ＥＳＳ：extended service set）、ノードＢ、発展型ノードＢ（ｅＮＢ：evolved NodeB）、ホームノードＢ、ホームｅノードＢ、ＷＬＡＮアクセスポイント、または何らかの他の好適な用語で呼ばれることがある。アクセスポイントのためのカバレージエリア１１０は、カバレージエリアの一部分のみを構成するセクタ（図示せず）に分割され得る。ワイヤレス通信システム１００は、異なるタイプのアクセスポイント１０５（たとえば、マクロ基地局、マイクロ基地局、および／またはピコ基地局）を含み得る。アクセスポイント１０５はまた、異なる無線技術を利用し得る。異なるタイプの技術および異なる無線技術に対して重複するカバレージエリアが存在し得る。
【００２８】
[0035]いくつかの例では、ワイヤレス通信システム１００はＬＴＥ／ＬＴＥ−Ａ通信システム（またはネットワーク）であるか、またはそれを含み得る。ＬＴＥ／ＬＴＥ−Ａ通信システムでは、発展型ノードＢ（ｅＮＢ）およびユーザ機器（ＵＥ）という用語は、概して、それぞれアクセスポイント１０５およびＵＥ１１５について説明するために使用され得る。ワイヤレス通信システム１００はまた、異なるタイプのｅＮＢが様々な地理的領域にカバレージを与える、異種ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。マクロセルは、一般に、比較的大きい地理的エリア（たとえば、半径数キロメートル）をカバーし、ネットワークプロバイダのサービスに加入しているＵＥによる無制限アクセスを可能にすることができる。ピコセルは、一般に、比較的小さい地理的エリアをカバーすることになり、ネットワークプロバイダのサービスに加入しているＵＥによる無制限アクセスを可能にすることができる。フェムトセルも、一般に、比較的小さい地理的エリア（たとえば、自宅）をカバーすることになり、無制限アクセスに加えて、フェムトセルとの関連を有するＵＥ（たとえば、限定加入者グループ（ＣＳＧ）中のＵＥ、自宅内のユーザのためのＵＥなど）による限定アクセスも提供し得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００２９】
[0036]コアネットワーク１３０は、バックホールリンク１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を介して）、直接的または間接的に、互いに通信し得る。ワイヤレス通信システム１００は、同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有することができ、異なるｅＮＢからの送信は時間的に整合されない場合がある。本明細書で説明する技法は、同期動作または非同期動作のいずれかのために使用され得る。
【００３０】
[0037]ＵＥ１１５は、ワイヤレス通信システム１００全体にわたって分散されてよく、各ＵＥは固定または移動であり得る。モバイルデバイスまたはＵＥ１１５は、当業者によって、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００３１】
[0038]ワイヤレス通信システム１００に示された通信リンク１２５は、（たとえば、ＵＥ１１５からｅＮＢ１０５への）アップリンク（ＵＬ）送信を搬送するためのアップリンクおよび／または（たとえば、ｅＮＢ１０５からＵＥ１１５への）ダウンリンク（ＤＬ）送信を搬送するためのダウンリンクを含み得る。ＵＬ送信は逆方向リンク送信と呼ばれることもあり、ＤＬ送信は順方向リンク送信と呼ばれることもある。
【００３２】
[0039]図示のように、ＵＥ１１５は、いくつかの場合には、ピアツーピアネットワーク（たとえば、アクセスポイント１０５を介さない）においてそのピアと直接通信し得る。たとえば、ＵＥ１１５−ｂは、ＵＥ１１５−ａ、１１５−ｃおよび１１５−ｄと通信しているように示される。同様に、ＵＥ１１５−ｃは、ＵＥ１１５−ａ、１１５−ｂおよび１１５−ｅと通信しているように示される。ＵＥ１１５−ｄは、ＵＥ１１５−ａ、１１５−ｂおよび１１５−ｅと通信しているように示される。ＵＥ１１５はモバイルデバイスであり得るので、ＵＥ１１５は周期的にピア発見プロセスに関与し得、ＵＥ１１５の各々は１つまたは複数のピア発見信号をブロードキャストし、他のＵＥ１１５のピア発見信号を受信する。いくつかの場合には、ピア（たとえば、ＵＥ１１５−ａ、１１５−ｂおよび１１５−ｃ）は、互いに極めて近接している場合がある。他の場合には、ピア（たとえば、ＵＥ１１５−ｃおよび１１５−ｅ）は、互いに遠く離れている場合がある。近接性におけるこれらの差を考慮するために、ＵＥ１１５は、近くのピアを検出するために短距離発見プロセスに関与し、遠く離れたピアを検出するために長距離発見プロセスに関与する場合がある。短距離発見プロセスの間に、ＵＥ１１５は、互いの受信機の飽和を回避するために、より低い電力において信号を送信することができる。長距離発見プロセスの間に、ＵＥ１１５は、より高い電力において信号を送信することができる。
【００３３】
[0040]いくつかの例によれば、短距離発見プロセスは、リソースの第１のセットを介して実施され得る。短距離発見プロセス中にリソースの第１のセットを介してエネルギーを受信するＵＥ１１５は、リソースの第１のセットの各リソースのエネルギーを推定し得る。いくつかの場合には、リソースの第１のセットは、ＵＥ１１５との通信における１つまたは複数の通信チャネルのリソースを含み得る。いくつかの場合には、リソースは、ピアツーピアネットワークにおける短距離発見または他の短距離送信のために使用されるリソースであってよい。ＵＥ１１５は、ピアツーピアネットワークにおける長距離発見のために使用されるリソースの第２のセットの総エネルギーを予測するために、リソースの第１のセットの各リソースの推定エネルギーを使用し得る。次いで、ＵＥ１１５は、ＡＧＣ設定を予測するためにリソースの第２のセットの予測された総エネルギーを使用し得る。
【００３４】
[0041]図２は、受信機モジュール２０５のブロック図２００である。受信機モジュール２０５は、図１を参照しながら説明されたＵＥ１１５のうちの１つによって使用される受信機モジュールの一例であり得る。受信機モジュール２０５は、１つまたは複数のアンテナ２１０、１つまたは複数のフィルタ２１５、低雑音増幅器（ＬＮＡ）２２０、ダウンコンバータ２２５、アナログデジタル変換器（ＡＤＣ）２３０、および／または自動利得制御（ＡＧＣ）２３５を含み得る。
【００３５】
[0042]アンテナ２１０によって受信された信号は、注目する１つまたは複数の周波数を超える信号を阻止するためにフィルタ２１５によってフィルタリング（たとえば、バンドパスフィルタリング）され得る。フィルタリングされた信号は、ＡＧＣ２３５によって調整された利得に従って、フィルタリングされた信号をさらなる処理のために適切なレベルに増幅し得るＬＮＡ２２０に送られてよい。ダウンコンバータ２２５は、増幅された信号をベースバンドにダウンコンバートし得る。次いで、ＡＤＣ２３０は、ベースバンド信号をデジタルサンプルに変換し得る。
【００３６】
[0043]次に図３を参照すると、ブロック図３００は、様々な例による、ピアツーピアネットワークにおける長距離発見に対する自動利得制御設定を予測するためのデバイス１１５−ｆを示す。デバイス１１５−ｆは、図１を参照しながら説明されたＵＥ１１５のうちの１つの１つまたは複数の態様の一例であり得る。デバイス１１５−ｆはまた、プロセッサであり得る。デバイス１１５−ｆは、受信機モジュール３０５、ピアツーピア発見管理モジュール３１０、および／または送信機モジュール３１５を含み得る。これらの構成要素の各々は互いに通信していることがある。
【００３７】
[0044]デバイス１１５−ｆの構成要素は、ハードウェアにおいて適用可能な機能の一部または全部を実施するように適応された１つまたは複数の特定用途向け集積回路（ＡＳＩＣ）を使用して、個々にまたはまとめて実装され得る。代替として、それらの機能は、１つまたは複数の他の処理ユニット（またはコア）によって、１つまたは複数の集積回路上で実施される場合がある。他の例では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００３８】
[0045]受信機モジュール３０５は、任意の数の受信機を含み得る。いくつかの場合には、受信機モジュール３０５は、セルラー受信機を含み得る。いくつかの場合には、セルラー受信機は、ＬＴＥ／ＬＴＥ−Ａ受信機またはＧＳＭ（登録商標）受信機であり得る。セルラー受信機は、総称して送信と呼ばれる様々なタイプのデータおよび／または制御信号を受信するために使用され得る。送信は、図１を参照しながら説明された、ワイヤレス通信システム１００のピアツーピアネットワークなどのワイヤレス通信システムの１つまたは複数の通信チャネルを介して受信され得る。いくつかの場合には、信号は、ＬＴＥダイレクト信号を含み得る。いくつかの場合には、制御信号は、ピア発見信号を含み得る。いくつかの場合には、受信機モジュール３０５は、ＷＬＡＮ受信機など、代替または追加のタイプの受信機を含み得る。ＷＬＡＮ受信機は、様々なタイプのデータおよび／または制御信号を受信するために使用されてもよく、図１を参照しながら説明されたワイヤレス通信システム１００のピアツーピアネットワークなど、ワイヤレス通信システムの１つまたは複数の通信チャネルを介して送信を受信することもできる。いくつかの場合には、受信機モジュール３０５は、図２を参照しながら説明された受信機モジュール構成要素のうちの１つまたは複数を含み得る。
【００３９】
[0046]ピアツーピア発見管理モジュール３１０は、ピアツーピアネットワークにおけるピアの発見に関する様々な機能を実施し得る。いくつかの例では、ピアツーピア発見管理モジュール３１０は、ピアツーピアネットワークにおいてそのピアとして動作している他のデバイスの存在を、短距離発見プロセスと長距離発見プロセスとを使用して検出する（すなわち、発見する）ために使用され得る。ピアツーピア発見管理モジュール３１０はまた、発見プロセスの間に観測された受信されたエネルギーの変動に基づいて長距離発見のために使用される受信機の利得を予測して調整することができる。いくつかの例では、ピアツーピアネットワーク内のデバイスモビリティを考慮するために、ピアツーピア発見管理モジュール３１０は、ある周期的レート（たとえば、２０秒ごと）において他のデバイスを発見することを試みることができる。いくつかの場合には、他のデバイスの発見は、基地局またはｅＮＢのシグナリングなしに行われ得る。
【００４０】
[0047]いくつかの例によれば、短距離発見プロセスは、近くのピアを発見するために使用され得る一方で、長距離発見プロセスは、遠く離れたピアを発見するために使用され得る。短距離発見プロセスの間に、ピアツーピア発見管理モジュール３１０は、短距離発見信号（たとえば、より低い電力で送信されるビーコン信号）がデバイス１１５−ｆから送信されることを引き起こし得る。長距離発見プロセスの間に、ピアツーピア発見管理モジュール３１０は、長距離発見信号（たとえば、より高い電力で送信されるビーコン信号）がデバイス１１５−ｆから送信されることを引き起こし得る。いくつかの例では、短距離発見プロセスは、長距離発見プロセスの直前または直近に先行することができる。
【００４１】
[0048]ピアの数およびピア間の距離は、ピアツーピアネットワークにおいて（たとえば、数センチメートルから数百メートルまで）変動する場合があるので、ピアデバイスにおいて受信されるエネルギーにおいて著しい変動が、発見プロセスの間に経時的に存在する場合がある。これらの変動は、デバイスがピア発見信号をより高い電力（たとえば、最大電力）で送信する長距離発見プロセスの間に最も顕著になることが多い。対照的に、短距離発見の間に、最大の受信された電力の低減（より低い送信電力による）と受信された電力のダイナミックレンジの低減（より小さいピア発見半径の中での関心による）の両方が存在する。受信機モジュール３０５の飽和を回避するために、ピアツーピア発見管理モジュール３１０は、長距離発見のために使用される受信機モジュール３０５の少なくとも１つの受信機の利得を調整し得る。
【００４２】
[0049]いくつかの例では、利得を調整するために、ピアツーピア発見管理モジュール３１０は、短距離発見の間にリソースの第１のセットの各リソースのエネルギーを最初に推定し得る。いくつかの場合には、リソースは、受信機モジュール３０５との通信における１つまたは複数の通信チャネルのリソースを含み得る。いくつかの場合には、リソースは、ピアツーピアネットワークにおける短距離発見または他の短距離送信のために使用されるリソースであってよい。
【００４３】
[0050]次いで、ピアツーピア発見管理モジュール３１０は、ピアツーピアネットワークにおける長距離発見のために使用されるリソースの第２のセットの総エネルギーを予測するために、リソースの第１のセットの各リソースの推定エネルギーを使用し得る。いくつかの例では、予測された総エネルギーは、リソースの第１のセットの各リソースの推定エネルギーに少なくとも部分的に基づき得る。いくつかの場合には、リソースの第２のセットのリソースは、受信機モジュール３０５との通信における１つまたは複数の通信チャネルのリソースを含み得る。
【００４４】
[0051]次いで、ピアツーピア発見管理モジュール３１０は、リソースの第２のセットに対するＡＧＣ設定を予測するために予測された総エネルギーを使用し得る。いくつかの例では、ＡＧＣ設定は、リソースの第２のセットの予測された総エネルギーに少なくとも部分的に基づいて予測され得る。次いで、予測されたＡＧＣ設定は、長距離発見のために使用される少なくとも１つの受信機の利得を調整するために使用され得る。少なくとも１つの受信機は、受信機モジュール３０５の少なくとも１つの受信機を含み得る。少なくとも１つの受信機の利得を調整した後、送信は、少なくとも１つの受信機において受信され得る。送信は、リソースの第２のセットのうちの少なくとも１つのリソースを介して受信され得る。
【００４５】
[0052]送信機モジュール３１５は、任意の数の送信機を含み得る。いくつかの場合には、送信機モジュール３１５は、セルラー送信機を含み得る。いくつかの場合には、セルラー送信機は、ＬＴＥ／ＬＴＥ−Ａ送信機またはＧＳＭ送信機であり得る。セルラー送信機は、総称して送信と呼ばれる様々なタイプのデータおよび／または制御信号を送信するために使用され得る。送信は、図１を参照しながら説明された、ワイヤレス通信システム１００のピアツーピアネットワークなどのワイヤレス通信システムの１つまたは複数の通信チャネルを介して行われ得る。いくつかの場合には、信号は、ＬＴＥダイレクト信号を含み得る。いくつかの場合には、制御信号は、ピア発見信号を含み得る。いくつかの場合には、送信機モジュール３１５は、ＷＬＡＮ送信機など、代替または追加のタイプの送信機を含み得る。ＷＬＡＮ送信機はまた、様々なタイプのデータおよび／または制御信号を送信するために使用されてよく、図１を参照しながら説明されたワイヤレス通信システム１００のピアツーピアネットワークなどのワイヤレス通信システムの１つまたは複数の通信チャネルを介する送信を行うことができる。
【００４６】
[0053]次に図４を参照すると、ブロック図４００は、様々な例による、ピアツーピアネットワークにおける長距離発見に対する自動利得制御設定を予測するための別のデバイス１１５−ｇを示す。デバイス１１５−ｇは、図１を参照しながら説明されたＵＥ１１５のうちの１つの、１つまたは複数の態様の一例であり得る。デバイス１１５−ｇはまた、プロセッサであり得る。デバイス１１５−ｇは、受信機モジュール３０５、ピアツーピア発見管理モジュール３１０−ａ、および／または送信機モジュール３１５を含み得る。これらの構成要素の各々は互いに通信していることがある。
【００４７】
[0054]デバイス１１５−ｇの構成要素は、ハードウェアにおいて適用可能な機能の一部または全部を実施するように適応された１つまたは複数の特定用途向け集積回路（ＡＳＩＣ）を使用して、個々にまたはまとめて実装され得る。代替として、それらの機能は、１つまたは複数の他の処理ユニット（またはコア）によって、１つまたは複数の集積回路上で実施される場合がある。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００４８】
[0055]受信機モジュール３０５および送信機モジュール３１５は、図３を参照しながら説明されたものと同様に構成され得る。ピアツーピア発見管理モジュール３１０−ａは、図３を参照しながら説明されたピアツーピア発見管理モジュール３１０の１つまたは複数の態様の一例であってよく、エネルギー推定モジュール４０５、エネルギー予測モジュール４１０、および／またはＡＧＣ設定予測モジュール４１５を含み得る。
【００４９】
[0056]いくつかの例では、エネルギー推定モジュール４０５は、リソースの第１のセットの各リソースのエネルギーを推定し得る。いくつかの場合には、リソースは、受信機モジュール３０５と通信している１つまたは複数の通信チャネルのリソースを含み得、それらのリソースは、多重化（たとえば、時間多重化および／または周波数多重化）される時間リソースと周波数リソースとを含み得る。いくつかの場合には、リソースは、短距離発見（たとえば、他のデバイスまたはピアの発見）またはピアツーピアネットワークにおける他の短距離送信のために使用されるリソースであってよい。
【００５０】
[0057]いくつかの例では、エネルギー予測モジュール４１０は、ピアツーピアネットワークにおける長距離発見のために使用されるリソースの第２のセットの総エネルギーを予測し得る。予測された総エネルギーは、リソースの第１のセットの各リソースの推定エネルギーに少なくとも部分的に基づき得る。いくつかの場合には、リソースの第２のセットの総エネルギーは、下式
【００５１】
【数１】
2016536917.tif 000003
【００５２】
に従って予測されてよく、
ここで、（ｔ１、ｆ１）はリソースの第１のセットの特定の時間−周波数リソースを定義し、（ｔ２、ｆ２）はリソースの第２のセットの特定の時間−周波数リソースを定義し、ｔ２は長距離発見が実施される時間期間であり、Δ（ｔ２）はリソースの第１のセットである。ＥｎｅｒｇｙＳｈｏｒｔは、リソースの第１のセットのリソース当たりに受信されるエネルギーであり、一方、各周波数ｆ２に対するＥｎｅｒｇｙＬｏｎｇの合計は、リソースの第２のセットの１つの時間リソースブロックの間のリソースの第２のセットの予測された総エネルギーであり得る。ＴｒａｎｓｍｉｔＰｏｗｅｒＳｈｏｒｔは、ＵＥ１１５−ｇおよびそのピアの各々が短距離発見プロセスの間にエネルギーを送信する電力レベルであってよく、一方、ＴｒａｎｓｍｉｔＰｏｗｅｒＬｏｎｇは、ＵＥ１１５−ｇおよびそのピアの各々が長距離発見プロセスの間にエネルギーを送信する電力レベルであってよい。
【００５３】
[0058]いくつかの場合には、リソースの第２のセットのリソースは、受信機モジュール３０５と通信している１つまたは複数の通信チャネルのリソースを含み得、それらのリソースは、多重化（たとえば、時間多重化および／または周波数多重化）される時間リソースと周波数リソースとを含み得る。
【００５４】
[0059]いくつかの例では、ＡＧＣ設定予測モジュール４１５は、リソースの第２のセットに対するＡＧＣ設定を予測し得る。いくつかの例では、ＡＧＣ設定は、リソースの第２のセットの予測された総エネルギーに少なくとも部分的に基づき得る。次いで、予測されたＡＧＣ設定は、長距離発見のために使用される少なくとも１つの受信機の利得を調整するために、ピアツーピア発見管理モジュール３１０−ａによって使用され得る。少なくとも１つの受信機は、受信機モジュール３０５の少なくとも１つの受信機を含み得る。少なくとも１つの受信機の利得を調整した後、送信は、少なくとも１つの受信機において受信され得る。送信は、リソースの第２のセットのうちの少なくとも１つのリソースを介して受信され得る。
【００５５】
[0060]いくつかの例では、リソースの第１のセット内のリソースの数は、リソースの第２のセット内のリソースの数より少なくてよい。いくつかの場合には、リソースの第１のセットのうちの単一のリソースは、長距離発見のために使用されるリソースの複数の第２のセットにマッピングされ得る。リソースの複数の第２のセットは、１つの時間リソースブロック内で周波数多重化され得る。
【００５６】
[0061]次に図５を参照すると、ブロック図５００は、様々な例によるピアツーピア発見管理モジュール３１０−ｂの一例を示す。ピアツーピア発見管理モジュール３１０−ｂは、図３および／または図４を参照しながら説明されたピアツーピア発見管理モジュール３１０の１つまたは複数の態様の一例であり得る。ピアツーピア発見管理モジュール３１０−ｂは、短距離発見管理モジュール５０５、エネルギー推定モジュール４０５−ａ、エネルギー予測モジュール４１０−ａ、ＡＧＣ設定予測モジュール４１５−ａ、利得調整モジュール５１０、長距離発見管理モジュール５１５、および／または短距離発見リソース選択モジュール５２０を含み得る。
【００５７】
[0062]ピアツーピア発見管理モジュール３１０−ｂの構成要素は、ハードウェアにおいて適用可能な機能の一部または全部を実施するように適応された１つまたは複数のＡＳＩＣを使用して、個々にまたはまとめて実装され得る。代替として、それらの機能は、１つまたは複数の他の処理ユニット（またはコア）によって、１つまたは複数の集積回路上で実施される場合がある。他の例では、当技術分野で知られている任意の方法でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００５８】
[0063]いくつかの例では、短距離発見管理モジュール５０５は、ピアツーピアネットワークにおける短距離発見プロセスの間にリソースの第１のセットのうちの１つまたは複数のリソース上のエネルギーの送信および受信を管理するために使用され得る。いくつかの場合には、リソースは、１つまたは複数の通信チャネルのリソースを含み得、多重化（たとえば、時間多重化および／または周波数多重化）される時間リソースおよび／または周波数リソースを含み得る。いくつかの場合には、短距離発見管理モジュール５０５は、リソースのうちの１つまたは複数を介してエネルギーの受信を管理しながら、リソースのうちの１つを介してエネルギーの送信を管理し得る。送信されたエネルギーは、短距離エネルギー（たとえば、ピアツーピアネットワークにおけるピアの短距離発見のために使用されるエネルギー程度のエネルギーであり、そのエネルギーはピアの長距離発見のために使用されるエネルギーより低い電力である）であってよい。
【００５９】
[0064]エネルギー推定モジュール４０５−ａは、図４を参照しながら説明されたエネルギー推定モジュール４０５と同様に構成され得る。たとえば、エネルギー推定モジュール４０５は、リソースの第１のセットの各リソースのエネルギーを推定し得る。
【００６０】
[0065]エネルギー予測モジュール４１０−ａは、図４を参照しながら説明されたエネルギー予測モジュール４１０の１つまたは複数の態様の一例であってよく、エネルギー合計サブモジュール５２５および／またはエネルギースケーリングサブモジュール５３０を含み得る。エネルギー予測モジュール４１０−ａは、ピアツーピアネットワークにおける長距離発見のために使用されるリソースの第２のセットの総エネルギーを予測し得る。予測された総エネルギーは、リソースの第１のセットの各リソースの推定エネルギーに少なくとも部分的に基づき得る。いくつかの場合には、予測された総エネルギーは、上記の式１に基づくことができる。そのような場合、エネルギー合計サブモジュール５２５は、リソースの第１のセットの各リソースの推定エネルギーを合計する（たとえば、ＥｎｅｒｇｙＳｈｏｒｔを合計する）ために使用されてよく、エネルギースケーリングサブモジュール５３０は、リソースの第１のセットの各リソースの合計された推定エネルギーをスケーリングする（たとえば、合計された推定エネルギーに、ＴｒａｎｓｍｉｔＰｏｗｅｒＳｈｏｒｔに対するＴｒａｎｓｍｉｔＰｏｗｅｒＬｏｎｇの比率を乗じ、場合によっては、合計された推定エネルギーに、フェーディングおよびモビリティのためにいくらかのヘッドルームを設けるため追加の要因を乗じる）ために使用され得る。いくつかの場合には、リソースの第２のセットのリソースは、受信機モジュール３０５と通信している１つまたは複数の通信チャネルのリソースを含み得、それらのリソースは、多重化（たとえば、時間多重化および／または周波数多重化）される時間リソースと周波数リソースとを含み得る。
【００６１】
[0066]ＡＧＣ設定予測モジュール４１５−ａは、図４を参照しながら説明されたＡＧＣ設定予測モジュール４１５と同様に構成され得る。たとえば、ＡＧＣ設定予測モジュール４１５は、リソースの第２のセットに対するＡＧＣ設定を予測し得る。ＡＧＣ設定は、リソースの第２のセットの予測された総エネルギーに少なくとも部分的に基づき得る。
【００６２】
[0067]いくつかの例では、利得調整モジュール５１０は、長距離発見のために使用される少なくとも１つの受信機の利得を調整するために使用され得る。少なくとも１つの受信機の利得を調整した後、送信（たとえば、長距離発見送信）は、少なくとも１つの受信機において受信され得る。送信は、リソースの第２のセットのうちの少なくとも１つのリソースを介して受信され得る。利得調整モジュール５１０はまた、短距離発見送信および／またはエネルギーを受信するために使用される少なくとも１つの受信機の利得を調整するために使用され得る。しかしながら、短距離発見の間のより低い電力送信のために、受信機の利得調整は必要ではなく、いくつかの場合には、静的なプリプログラムされた利得が使用され得る。
【００６３】
[0068]いくつかの例では、長距離発見管理モジュール５１５は、ピアツーピアネットワークにおける長距離発見プロセスの間にリソースの第２のセットのうちの１つまたは複数のリソース上のエネルギーの送信と受信とを管理するために使用され得る。いくつかの場合には、長距離発見管理モジュール５１５は、１つまたは複数の長距離発見送信を管理しながら、同様に、１つまたは複数の長距離発見受信（たとえば、１つまたは複数の他のデバイスの長距離発見送信の受信）を管理することができる。
【００６４】
[0069]いくつかの例では、短距離発見リソース選択モジュール５２０は、短距離発見管理モジュール５０５によって行われたエネルギー送信が、リソースの第１のセットのうちの別のリソースより低い推定エネルギーを有するリソースの第１のセットのうちの１つのリソース上、またはリソースの第１のセットのうちのいずれかの最低の推定エネルギーを有する１つのリソース上で送信されたかどうかを決定するために使用され得る。短距離発見モジュールによって行われたエネルギー送信が、リソースの第１のセットのうちの別のリソースより低い推定エネルギーを有するリソースの第１のセットのうちの１つのリソース上、またはリソースの第１のセットのうちのいずれかの最低の推定エネルギーを有する１つのリソース上で送信されたことが決定された場合、短距離発見リソース選択モジュール５２０は、さらなる行動を取らない。そうでない場合、短距離発見リソース選択モジュール５２０は、今後のエネルギー送信のためにリソースの第１のセットのうちの異なる１つを選択し得る。リソースの第１のセットのうちの異なる１つのリソースが、リソースの第１のセットの各リソースの推定エネルギーに少なくとも部分的に基づいて選択され得る。いくつかの場合には、選択されたリソースは、最低の推定エネルギーを有するリソースであり得る。他の場合には、選択されたリソースは、短距離エネルギーが以前にあったリソースより低い推定エネルギーを有するリソースであってよい。
【００６５】
[0070]リソースの第１のセット内のリソースの数は、リソースの第２のセット内のリソースの数より少なくてよい。いくつかの場合には、リソースの第１のセットのうちの単一のリソースは、長距離発見のために使用されるリソースの複数の第２のセットにマッピングされ得る。リソースの複数の第２のセットは、１つの時間リソースブロック内で周波数多重化され得る。
【００６６】
[0071]長距離エネルギー（たとえば、１つまたは複数の長距離発見送信）がリソースの第２のセットを介して受信される前に、短距離エネルギーがリソースの第１のセットを介して受信されるとき、および長距離エネルギーが受信される前に時間的に近くでまたはそれが受信される直前に短距離エネルギーが受信されるとき、予測されたＡＧＣ設定は、より複雑な、および／またはより高価な受信機によって動的にリアルタイムで計算され得るＡＧＣ設定に非常に近くなり得る。いくつかの場合には、リソースが短距離発見のために使用される時間期間、および短距離エネルギーが受信され得る時間期間は、リソースが長距離発見のために使用される時間期間より短い場合がある。リソースが短距離発見のために使用される、より短い時間期間は、短距離エネルギーの受信に時間的に近くでの長距離エネルギーの受信を可能にする要因の１つであり得る。
【００６７】
[0072]図６は、ＵＥ１１５−ｈのブロック図６００の一例である。ＵＥ１１５−ｈは、図１、図３および／または図４を参照しながら説明されたＵＥ１１５の１つまたは複数の態様の一例であり得る。ＵＥ１１５−ｈは、様々な構成のうちのいずれかを有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどであり得るか、またはそれらの一部として含まれ得る。ＵＥ１１５−ｈは、モバイル動作を容易にするために、小型バッテリーなどの内部電源（図示せず）を有する場合がある。
【００６８】
[0073]ＵＥ１１５−ｈは、アンテナ６０５と、トランシーバモジュール６１０と、メモリ６１５と、プロセッサモジュール６２５とを含み得る。これらの構成要素の各々は、（たとえば、１つまたは複数のバス６４０を介して）互いに、直接的または間接的に通信している場合がある。トランシーバモジュール６１０は、１つまたは複数のネットワークと、アンテナ６０５および／または１つもしくは複数の有線リンクもしくはワイヤレスリンクを介して、双方向に通信するように構成され得る。たとえば、トランシーバモジュール６１０は、図１を参照しながら説明されたアクセスポイント１０５（たとえば、ＷＬＡＮアクセスポイントまたはｅＮＢ）のうちの１つまたは複数と双方向に通信するように構成され得る。トランシーバモジュール６１０はまた、１つまたは複数の他のＵＥと（たとえば、ピアツーピアネットワークを介して）直接通信するように構成され得る。トランシーバモジュール６１０は、パケットを変調し、変調されたパケットを送信のためにアンテナ６０５に与えることと、アンテナ６０５から受信されたパケットを復調することとを行うように構成されたモデムを含み得る。ＵＥ１１５−ｈは単一のアンテナを含み得るが、ＵＥ１１５−ｈは、一般に、複数のリンクのための複数のアンテナを含み得る。
【００６９】
[0074]メモリ６１５は、ランダムアクセスメモリ（ＲＡＭ）および／または読取り専用メモリ（ＲＯＭ）を含み得る。メモリ６１５は、実行されたとき、プロセッサモジュール６２５に、ピアツーピアネットワークにおける長距離発見に対するＡＧＣ設定を予測するために、本明細書で説明される機能のうちの１つまたは複数を含む様々な機能を実施させるように構成された命令を含むコンピュータ可読、コンピュータ実行可能ソフトウェア（ＳＷ）コード６２０を記憶することができる。代替的に、ソフトウェアコード６２０は、プロセッサモジュール６２５によって直接実行可能でないことがあるが、（たとえば、コンパイルされて実行されたとき）ＵＥ１１５−ｈに、本明細書で説明される機能のうちの１つまたは複数を実施させるように構成され得る。
【００７０】
[0075]プロセッサモジュール６２５は、インテリジェントハードウェアデバイス、たとえば、ＣＰＵ、マイクロコントローラ、ＡＳＩＣなどを含み得る。プロセッサモジュール６２５は、アンテナ６０５およびトランシーバモジュール６１０を介して受信された情報を処理すること、および／またはトランシーバモジュール６１０およびアンテナ６０５を介して送信されるべき情報を送ることを行い得る。プロセッサモジュール６２５は、単独でまたはピアツーピア発見管理モジュール３１０−ｃとともに、本明細書で説明されるように、ピアツーピアネットワークにおける長距離発見に対するＡＧＣ設定を予測する様々な態様を取り扱うことができる。
【００７１】
[0076]図６のアーキテクチャによれば、ＵＥ１１５−ｈは、通信管理モジュール６３０と状態モジュール６３５とをさらに含み得る。通信管理モジュール６３０は、アクセスポイント１０５および／または他のＵＥ１１５との通信を確立し、管理し得る。
【００７２】
[0077]状態モジュール６３５は、現在のデバイス状態（たとえば、コンテキスト、認証、基地局関連付け、および／または他の接続性問題）を反映および制御し得る。
【００７３】
[0078]ピアツーピア発見管理モジュール３１０−ｃは、図３、図４および／または図５を参照しながら説明されたピアツーピア発見管理モジュール３１０の１つまたは複数の態様の一例であり得る。
【００７４】
[0079]例として、通信管理モジュール６３０、状態モジュール６３５、および／またはピアツーピア発見管理モジュール３１０−ｃの各々は、（たとえば、１つまたは複数のバス６４０を介して）ＵＥ１１５−ｈの他の構成要素のうちの一部または全部と通信しているＵＥ１１５−ｈの構成要素であり得る。代替として、通信管理モジュール６３０、状態モジュール６３５、および／またはピアツーピア発見管理モジュール３１０−ｃの機能は、トランシーバモジュール６１０の構成要素として、コンピュータプログラム製品として、および／またはプロセッサモジュール６２５の１つもしくは複数のコントローラ要素として実装され得る。
【００７５】
[0080]ＵＥ１１５−ｈの構成要素は、ハードウェアにおいて適用可能な機能の一部または全部を実施するように適応された１つまたは複数のＡＳＩＣを用いて、個々にまたはまとめて実装され得る。代替として、それらの機能は、１つまたは複数の他の処理ユニット（またはコア）によって、１つまたは複数の集積回路上で実施される場合がある。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。言及したモジュールの各々は、ＵＥ１１５−ｈの動作に関係する１つまたは複数の機能を実施するための手段であり得る。
【００７６】
[0081]図７は、図１、図３、図４および／または図６を参照しながら説明されたＵＥ１１５のうちの１つによって関与されるピア発見プロセスなどのピア発見プロセスの間の例示的なリソース７００の割振りを示す。リソース７００は、短距離リソース７０５のセットと長距離リソース７１０のセットとを含む。短距離リソース７０５は、時間リソースブロック１〜Ｎ１の間で時間多重化され、周波数リソースブロック１〜Ｍ１の間で周波数多重化されるリソースのアレイを含む。短距離リソースは、たとえば、リソース７１５と７２０とを含み得る。長距離リソース７１０は、時間リソースブロック１〜Ｎ２の間で時間多重化され、周波数リソースブロック１〜Ｍ２の間で周波数多重化されるリソースのアレイを含む。長距離リソースは、たとえば、リソース７２５と７３０とを含み得る。いくつかの場合には、時間リソースブロックの各々は、特定のサブフレームの長さ（たとえば、ＬＴＥサブフレームの長さ）に対応し得る。
【００７７】
[0082]短距離リソース７０５の数は、長距離リソース７１０の数より少ない（たとえば、Ｍ１×Ｎ１＜＜Ｍ２×Ｎ２）場合があり、短距離リソース７０５は、長距離リソース７１０に先行する。短距離リソース７０５および長距離リソース７１０の数は、必要に応じて指示されてよいが、より少ない短距離リソース７０５の数を有することはまた、短距離リソース７０５のすべてが長距離リソース７１０と時間的に比較的により接近することを可能にし、したがって、短距離リソース７０５内のいくつかのリソースの推定エネルギーが、長距離リソース内のリソースのいくつかのグループの総エネルギーの良好な予測子となることを可能にする（たとえば、推定エネルギーが予測されたエネルギーに時間的に近いとき、デバイスのモビリティが、リソースの第２のセットの予測エネルギーに対してリソースの第２のセットの実際のエネルギーを歪ませる可能性は小さい）。
【００７８】
[0083]短距離リソース７０５内のリソースの第１のセットは、リソース７１５と７２０とを含み得る。これらのリソースの各々は、長距離リソース７１０の時間リソースブロック１内のリソースを含む、リソースの第２のセット７３５内の複数のリソースにマッピングされ得る。たとえば、リソース７２０は、それが図７の矢印によって接続されるリソースの各々にマッピングされ得る。リソース７１０の第２のセットのリソースのうちの１つの間に長距離発見信号（たとえば、長距離エネルギー）を送信していることになるいくつかのＵＥ１１５の各々は、それがマッピングされる短距離リソースの間に短距離エネルギーを送信すべきであり、それによって、その短距離エネルギー送信は、長距離リソース７１０の時間リソースブロック（たとえば、リソースの第２のセット７３５によって定義される時間リソースブロック）内の総エネルギーの予測の要素に入れられ得る。
【００７９】
[0084]リソースの第２のセット７３５内のリソースは、異なる時間および／または周波数のリソースブロック内に入る短距離リソースを含む異なる短距離リソースにマッピングすることができるが、単一の短距離リソースは、長距離リソース７１０の１つの時間リソースブロック内のリソースだけにマッピングされ得る。これは、リソースの第１のセットの各リソースのエネルギーの合計が、リソースの第２のセットの１つの時間リソースブロック内の総エネルギーの予測となることを可能にする。
【００８０】
[0085]短距離リソース７０５を長距離リソースのセットの総エネルギーを予測するために使用することに加えて、短距離リソース７０５は、ピアの短距離発見のために使用され得る。Ｍ１×Ｎ１内のリソースの数が、Ｎ２（すなわち、長距離リソース内に表される時間リソースブロックの数）と比較してかなり大きい限り、２つの近接して位置するＵＥが、短距離発見および短距離エネルギー送信のそれぞれに対して、同じ短距離時間−周波数リソースを共有する尤度は低い。したがって、短距離エネルギー送信が、短距離発見信号の送信をマスクする可能性は小さい。
【００８１】
[0086]図８は、ピアツーピアネットワークにおける長距離発見に対するＡＧＣ設定を予測するための方法８００の一例を示すフローチャートである。明快のために、方法８００は、図１、図３、図４および／もしくは図６を参照しながら説明されたＵＥ１１５のうちの１つ、ならびに／または、図３、図４および／もしくは図５を参照しながら説明されたピアツーピア発見管理モジュール３１０を参照しながら、以下で説明される。一例では、ＵＥ１１５は、以下で説明される機能を実施するためにＵＥ１１５の機能要素を制御するためのコードの１つまたは複数のセットを実行し得る。
【００８２】
[0087]ブロック８０５において、リソースの第１のセットの各リソースのエネルギーが、推定され得る。いくつかの場合には、リソースは、１つまたは複数の通信チャネルのリソースを含み得、そのリソースは、多重化（たとえば、時間多重化および／または周波数多重化）される時間リソースと周波数リソースとを含み得る。いくつかの場合には、リソースは、短距離発見（たとえば、他のデバイスまたはピアの発見）またはピアツーピアネットワークにおける他の短距離送信のために使用されるリソースであってよい。いくつかの場合には、ブロック８０５における動作は、図３、図４、図５および／もしくは図６を参照しながら説明されたピアツーピア発見管理モジュール３１０、ならびに／または、図４および／もしくは図５を参照しながら説明されたエネルギー推定モジュール４０５を使用して実施され得る。
【００８３】
[0088]ブロック８１０において、ピアツーピアネットワークにおける長距離発見のために使用されるリソースの第２のセットの総エネルギーが、予測され得る。予測された総エネルギーは、リソースの第１のセットの各リソースの推定エネルギーに少なくとも部分的に基づき得る。いくつかの場合には、総エネルギーは、上記の式１に基づいて予測され得る。いくつかの場合には、リソースの第２のセットのリソースは、１つまたは複数の通信チャネルのリソースを含み得、そのリソースは、多重化（たとえば、時間多重化および／または周波数多重化）される時間リソースと周波数リソースとを含み得る。いくつかの場合には、ブロック８１０における動作は、図３、図４、図５および／もしくは図６を参照しながら説明されたピアツーピア発見管理モジュール３１０、ならびに／または、図４および／もしくは図５を参照しながら説明されたエネルギー予測モジュール４１０を使用して実施され得る。
【００８４】
[0089]ブロック８１５において、リソースの第２のセットに対するＡＧＣ設定が、予測され得る。ＡＧＣ設定は、長距離発見のために使用されるリソースの第２のセットの予測された総エネルギーに少なくとも部分的に基づいて予測され得る。いくつかの場合には、ブロック８１５における動作は、図３、図４、図５および／もしくは図６を参照しながら説明されたピアツーピア発見管理モジュール３１０、ならびに／または、図４および／もしくは図５を参照しながら説明されたＡＧＣ設定予測モジュール４１５を使用して実施され得る。
【００８５】
[0090]リソースの第１のセット内のリソースの数は、リソースの第２のセット内のリソースの数より少なくてよい。いくつかの場合には、リソースの第１のセットのうちの単一のリソースは、長距離発見のために使用されるリソースの複数の第２のセットにマッピングされ得る。リソースの複数の第２のセットは、１つの時間リソースブロック内で周波数多重化され得る。
【００８６】
[0091]したがって、方法８００は、ピアツーピアネットワークにおける長距離発見に対する自動利得制御設定を予測することを提供することができる。方法８００は一実装形態にすぎず、方法８００の動作は、他の実装形態が可能であるように並べ替えられ、または場合によっては変更され得ることに留意されたい。
【００８７】
[0092]図９は、ピアツーピアネットワークにおける長距離発見に対する自動利得制御設定を予測するための方法９００の一例を示すフローチャートである。明快のために、方法９００は、図１、図３、図４および／もしくは図６を参照しながら説明されたＵＥ１１５、図２、図３および／もしくは図４を参照しながら説明された受信機モジュール２０５もしくは３０５、図３、図４および／もしくは図５を参照しながら説明されたピアツーピア発見管理モジュール３１０、ならびに／または図６を参照しながら説明されたトランシーバモジュール６１０のうちの１つを参照しながら以下で説明される。一例では、ＵＥ１１５は、以下で説明される機能を実施するためにＵＥ１１５の機能要素を制御するためのコードの１つまたは複数のセットを実行し得る。
【００８８】
[0093]ブロック９０５において、エネルギーは、リソースの第１のセットのうちの１つまたは複数のリソース上で受信され得る。いくつかの場合には、リソースは、１つまたは複数の通信チャネルのリソースを含み得、多重化（たとえば、時間多重化および／または周波数多重化）される時間リソースおよび／または周波数リソースを含み得る。いくつかの場合には、リソースは、短距離発見（たとえば、他のデバイスまたはピアの発見）またはピアツーピアネットワークにおける他の短距離送信のために使用されるリソースであってよい。いくつかの場合には、ブロック９０５における動作は、図２、図３、および／もしくは図４を参照しながら説明された受信機モジュール２０５もしくは３０５、ならびに／または、図６を参照しながら説明されたトランシーバ６１０を使用して実施され得る。
【００８９】
[0094]ブロック９１０において、リソースの第１のセットの各リソースのエネルギーが、推定され得る。いくつかの場合には、ブロック９１０における動作は、図３、図４、図５および／もしくは図６を参照しながら説明されたピアツーピア発見管理モジュール３１０、ならびに／または、図４および／もしくは図５を参照しながら説明されたエネルギー推定モジュール４０５を使用して実施され得る。
【００９０】
[0095]ブロック９１５において、リソースの第１のセットの各リソースの推定エネルギーが、合計され得る。いくつかの場合には、ブロック９１５における動作は、図３、図４、図５および／もしくは図６を参照しながら説明されたピアツーピア発見管理モジュール３１０、ならびに／または、図４および／もしくは図５を参照しながら説明されたエネルギー予測モジュール４１０を使用して、実施され得る。
【００９１】
[0096]ブロック９２０において、ピアツーピアネットワークにおける長距離発見のために使用されるリソースの第２のセットの総エネルギーが、予測され得る。総エネルギーは、リソースの第１のセットの各リソースの合計された推定エネルギーに少なくとも部分的に基づいて、ある時間期間の間に予測され得る。たとえば、総エネルギーは、少なくとも部分的に、合計された推定エネルギーをスケーリングすることによって予測され得る。いくつかの場合には、総エネルギーは、上記の式１に基づいて予測され得る。加えて、合計された推定エネルギーは、フェーディングおよびモビリティに対するいくらかのヘッドルームを設けるためにスケーリングされ得る。いくつかの場合には、リソースの第２のセットのリソースは、１つまたは複数の通信チャネルのリソースを含み得、そのリソースは、多重化（たとえば、時間多重化および／または周波数多重化）される時間リソースと周波数リソースとを含み得る。いくつかの場合には、ブロック９２０における動作は、図３、図４、図５および／もしくは図６を参照しながら説明されたピアツーピア発見管理モジュール３１０、ならびに／または、図４および／もしくは図５を参照しながら説明されたエネルギー予測モジュール４１０を使用して実施され得る。
【００９２】
[0097]ブロック９２５において、リソースの第２のセットに対するＡＧＣ設定が、予測され得る。ＡＧＣ設定は、長距離発見のために使用されるリソースの第２のセットの予測された総エネルギーに少なくとも部分的に基づいて予測され得る。いくつかの場合には、ブロック９２５における動作は、図３、図４、図５および／もしくは図６を参照しながら説明されたピアツーピア発見管理モジュール３１０、ならびに／または、図４および／もしくは図５を参照しながら説明されたＡＧＣ設定予測モジュール４１５を使用して実施され得る。
【００９３】
[0098]ブロック９３０において、長距離発見のために使用される受信機の利得は、予測されたＡＧＣ設定に少なくとも部分的に基づいて調整され得る。いくつかの場合には、ブロック９３０における動作は、図３、図４、図５および／または図６を参照しながら説明されたピアツーピア発見管理モジュール３１０を使用して実施され得る。
【００９４】
[0099]ブロック９３５において、および受信機の利得を調整した後、１つまたは複数の送信（たとえば、他のＵＥ１１５の長距離発見送信）は、リソースの第２のセットのうちの１つまたは複数のリソースを介して受信され得る。いくつかの場合には、ブロック９３５における動作は、図２、図３および／もしくは図４を参照しながら説明された受信機モジュール２０５もしくは３０５、ならびに／または、図６を参照しながら説明されたトランシーバ６１０を使用して実施され得る。
【００９５】
[0100]リソースの第１のセット内のリソースの数は、リソースの第２のセット内のリソースの数より少なくてよい。いくつかの場合には、リソースの第１のセットのうちの単一のリソースは、長距離発見のために使用されるリソースの複数の第２のセットにマッピングされ得る。リソースの複数の第２のセットは、１つの時間リソースブロック内で周波数多重化され得る。
【００９６】
[0101]エネルギー（たとえば、送信）がリソースの第２のセットを介してブロック９３５において受信される前に、エネルギーがリソースの第１のセットを介してブロック９０５において受信されるとき、およびエネルギーがブロック９３５において受信される前に時間的に近くで、ブロック９０５において受信されたエネルギーが受信されるとき、予測されたＡＧＣ設定は、より複雑な、および／またはより高価な受信機によって動的にリアルタイムで計算され得るＡＧＣ設定に非常に近くなり得る。いくつかの場合には、リソースが短距離発見のために使用される時間期間、およびエネルギーがブロック９０５において受信され得る時間期間は、リソースがブロック９３５において長距離発見に使用される時間期間より短い場合がある。リソースが短距離発見のために使用される、より短い時間期間は、エネルギーがブロック９３５において受信されるのに時間的に近くでのブロック９０５におけるエネルギーの受信を可能にする要因の１つであり得る。
【００９７】
[0102]したがって、方法９００は、ピアツーピアネットワークにおける長距離発見に対する自動利得制御設定を予測することを提供することができる。方法９００は一実装形態にすぎず、方法９００の動作は、他の実装形態が可能であるように並べ替えられ、または場合によっては変更され得ることに留意されたい。
【００９８】
[0103]図１０は、ピアツーピアネットワークにおける長距離発見に対する自動利得制御設定を予測するための方法１０００の一例を示すフローチャートである。明快のために、方法１０００は、図１、図３、図４および／もしくは図６を参照しながら説明されたＵＥ１１５、図２、図３および／もしくは図４を参照しながら説明された受信機モジュール２０５もしくは３０５、図３、図４および／もしくは図５を参照しながら説明されたピアツーピア発見管理モジュール３１０、図３および／もしくは図４を参照しながら説明された送信機モジュール３１５、ならびに／または図６を参照しながら説明されたトランシーバモジュール６１０のうちの１つを参照しながら以下で説明される。一例では、ＵＥ１１５は、以下で説明される機能を実施するためにＵＥ１１５の機能要素を制御するためのコードの１つまたは複数のセットを実行し得る。
【００９９】
[0104]ブロック１００５において、エネルギーは、リソースの第１のセットのうちの１つまたは複数のリソース上で送信および受信され得る。いくつかの場合には、リソースは、１つまたは複数の通信チャネルのリソースを含み得、多重化（たとえば、時間多重化および／または周波数多重化）される時間リソースおよび／または周波数リソースを含み得る。いくつかの場合には、リソースは、短距離発見（たとえば、他のデバイスまたはピアの発見）またはピアツーピアネットワークにおける他の短距離送信のために使用されるリソースであってよい。いくつかの場合には、エネルギーは、リソースのうちの１つを介して送信され得る一方で、エネルギーは、リソースのうちの１つまたは複数を介して受信され得る。送信されたエネルギーは、短距離エネルギー（たとえば、ピアツーピアネットワークにおけるピアの短距離発見のために使用されるエネルギー程度のエネルギーであり、そのエネルギーはピアの長距離発見のために使用されるエネルギーより低い電力である）であってよい。いくつかの場合には、ブロック１００５における送信動作は、図３を参照しながら説明された送信機モジュール３１５、および／または図６を参照しながら説明されたトランシーバモジュール６１０を使用して実施され得る。いくつかの場合には、ブロック１００５における受信動作は、図２、図３および／もしくは図４を参照しながら説明された受信機モジュール２０５もしくは３０５、ならびに／または図６を参照しながら説明されたトランシーバ６１０を使用して実施され得る。
【０１００】
[0105]ブロック１０１０において、リソースの第１のセットの各リソースのエネルギーが、推定され得る。いくつかの場合には、ブロック１０１０における動作は、図３、図４、図５および／もしくは図６を参照しながら説明されたピアツーピア発見管理モジュール３１０、ならびに／または、図４および／もしくは図５を参照しながら説明されたエネルギー推定モジュール４０５を使用して実施され得る。
【０１０１】
[0106]ブロック１０１５において、ピアツーピアネットワークにおける長距離発見のために使用されるリソースの第２のセットの総エネルギーが、予測され得る。予測された総エネルギーは、リソースの第１のセットの各リソースの推定エネルギーに少なくとも部分的に基づき得る。いくつかの場合には、予測された総エネルギーは、式１に基づき得る。いくつかの場合には、リソースの第２のセットのリソースは、１つまたは複数の通信チャネルのリソースを含み得、そのリソースは、多重化（たとえば、時間多重化および／または周波数多重化）される時間リソースと周波数リソースとを含み得る。いくつかの場合には、ブロック１０１５における動作は、図３、図４、図５および／もしくは図６を参照しながら説明されたピアツーピア発見管理モジュール３１０、ならびに／または、図４および／もしくは図５を参照しながら説明されたエネルギー予測モジュール４１０を使用して、実施され得る。
【０１０２】
[0107]ブロック１０２０において、リソースの第２のセットに対するＡＧＣ設定が、予測され得る。ＡＧＣ設定は、長距離発見のために使用されるリソースの第２のセットの予測された総エネルギーに少なくとも部分的に基づいて予測され得る。いくつかの場合には、ブロック１０２０における動作は、図３、図４、図５および／もしくは図６を参照しながら説明されたピアツーピア発見管理モジュール３１０、ならびに／または、図４および／もしくは図５を参照しながら説明されたＡＧＣ設定予測モジュール４１５を使用して実施され得る。
【０１０３】
[0108]ブロック１０２５において、長距離発見のために使用される受信機の利得は、予測されたＡＧＣ設定に少なくとも部分的に基づいて調整され得る。いくつかの場合には、ブロック１０２５における動作は、図３、図４、図５および／または図６を参照しながら説明されたピアツーピア発見管理モジュール３１０を使用して実施され得る。
【０１０４】
[0109]ブロック１０３０において、および受信機の利得を調整した後、１つまたは複数の送信（たとえば、長距離発見送信）が行われてよく、一方、１つまたは複数の送信（たとえば、１つまたは複数の他のＵＥ１１５の長距離発見送信）が受信されてよい。いくつかの場合には、ブロック１０３０における送信動作は、図３を参照しながら説明された送信機モジュール３１５、および／または図６を参照しながら説明されたトランシーバモジュール６１０を使用して実施され得る。いくつかの場合には、ブロック１０３０における受信動作は、図２、図３および／もしくは図４を参照しながら説明された受信機モジュール２０５もしくは３０５、ならびに／または図６を参照しながら説明されたトランシーバ６１０を使用して実施され得る。
【０１０５】
[0110]ブロック１０３０における動作に続いて、および場合によっては遅延の後、方法１０００は、ブロック１００５にループして戻り、ブロック１００５〜１０３０の動作を繰り返す場合がある。しかしながら、ブロック１００５〜１０３０によって定義されるフローに加えて、追加のフローが、ブロック１００５、１０１０、１０３５、１０４０および／または１０４５によって定義され得る。追加のフローは、ブロック１００５〜１０３０によって定義されるフローの前、途中または後に実行されてもよい。追加のフローでは、ブロック１００５において行われたエネルギー送信が、リソースの第１のセットのうちの別のリソースより低い推定エネルギーを有するリソースの第１のセットのうちの１つのリソース上、またはリソースの第１のセットのうちのいずれかの最低の推定エネルギーを有する１つのリソース上で送信されたかどうかが、ブロック１００５におけるリソースの第１のセットの各リソースのエネルギーを推定した後で、ブロック１０３５において決定され得る。そうである場合、追加のフローはブロック１０４０において終了してよい。そうでない場合、追加のフローは、ブロック１０４５に進んでよく、そこにおいて、リソースの第１のセットのうちの異なる１つのリソースが、今後のエネルギー送信のために選択され得る。リソースの第１のセットのうちの異なる１つのリソースが、リソースの第１のセットの各リソースの推定エネルギーに少なくとも部分的に基づいて選択され得る。いくつかの場合には、選択されたリソースは、最低の推定エネルギーを有するリソースであり得る。他の場合には、選択されたリソースは、エネルギーがブロック１００５において以前に送信されたリソースより低い推定エネルギーを有するリソースであり得る。
【０１０６】
[0111]リソースの第１のセット内のリソースの数は、リソースの第２のセット内のリソースの数より少なくてよい。いくつかの場合には、リソースの第１のセットのうちの単一のリソースは、長距離発見のために使用されるリソースの複数の第２のセットにマッピングされ得る。リソースの複数の第２のセットは、１つの時間リソースブロック内で周波数多重化され得る。
【０１０７】
[0112]エネルギー（たとえば、送信）がリソースの第２のセットを介してブロック１０３０において受信される前に、エネルギーがリソースの第１のセットを介してブロック１００５において受信されるとき、およびエネルギーがブロック１０３０において受信される前に時間的に近くで、ブロック１００５において受信されたエネルギーが受信されるとき、予測されたＡＧＣ設定は、より複雑な、および／またはより高価な受信機によって動的にリアルタイムで計算され得るＡＧＣ設定に非常に近くなり得る。いくつかの場合には、リソースが短距離発見のために使用される時間期間、およびエネルギーがブロック１００５において受信され得る時間期間は、リソースがブロック１０３０において長距離発見のために使用される時間期間より短い場合がある。リソースが短距離発見のために使用される、より短い時間期間は、エネルギーがブロック１０３０において受信されるのに時間的に近くでのブロック１００５におけるエネルギーの受信を可能にする要因の１つであり得る。
【０１０８】
[0113]したがって、方法１０００は、ピアツーピアネットワークにおける長距離発見に対する自動利得制御設定を予測することを提供することができる。方法１０００は一実装形態にすぎず、方法１０００の動作は、他の実装形態が可能であるように並べ替えられ、または場合によっては変更され得ることに留意されたい。
【０１０９】
[0114]添付の図面に関して上記に記載した詳細な説明は、例示的な例について説明しており、実装され得るまたは特許請求の範囲内に入る例のみを表すものではない。この説明全体にわたって使用される「例示的」という用語は、「例、事例、または例示の働きをすること」を意味し、「好ましい」または「他の例よりも有利な」を意味しない。詳細な説明は、説明された技法の理解を与えるために、具体的な詳細を含む。しかしながら、これらの技法は、これらの具体的な詳細なしに実践され得る。いくつかの事例では、説明した例の概念を不明瞭にすることを回避するために、よく知られている構造およびデバイスをブロック図の形式で示す。
【０１１０】
[0115]本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形形態とを含む。ＴＤＭＡシステムは、グローバルシステムフォーモバイルコミュニケーションズ（ＧＳＭ）などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ。ＬＴＥ、ＬＴＥ−ＡおよびＧＳＭは、「第３世代パートナーシッププロジェクト」（３ＧＰＰ：3rd Generation Partnership Project）と呼ばれる組織からの文書に記載されている。ＣＤＭＡ２０００およびＵＭＢは、「第３世代パートナーシッププロジェクト２」（３ＧＰＰ２）と呼ばれる組織からの文書に記載されている。本明細書において説明される技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外に適用可能である。
【０１１１】
[0116]様々な開示される例のうちのいくつかに適応することができる通信ネットワークは、階層化プロトコルスタックに従って動作するパケットベースネットワークとすることができる。たとえば、ベアラまたはパケットデータコンバージェンスプロトコル（ＰＤＣＰ）レイヤにおける通信はＩＰベースであり得る。無線リンク制御（ＲＬＣ：Radio Link Control）レイヤは、論理チャネルを介して通信するために、パケットセグメンテーションとリアセンブリとを実施することができる。媒体アクセス制御（ＭＡＣ：Medium Access Control）レイヤは、優先度処理と、トランスポートチャネルへの論理チャネルの多重化とを実施することができる。ＭＡＣレイヤはまた、ＭＡＣレイヤで再送信を行ってリンク効率を改善するために、ハイブリッドＡＲＱ（ＨＡＲＱ）を使用することができる。物理レイヤで、トランスポートチャネルは物理チャネルにマッピングされ得る。
【０１１２】
[0117]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１１３】
[0118]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替では、プロセッサは任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。プロセッサは、場合によっては、メモリと電子通信していてもよく、メモリは、プロセッサによって実行可能な命令を記憶する。
【０１１４】
[0119]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信される場合がある。他の例および実装形態は、本開示および添付の特許請求の範囲の範囲および趣旨内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の一部が異なる物理的ロケーションに実装されるように分散されることを含めて、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０１１５】
[0120]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備えることができる。また、任意の接続がコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモート光源から送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１１６】
[0121]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
【図１】
2016536917.tif 000004
【図２】
2016536917.tif 000005
【図３】
2016536917.tif 000006
【図４】
2016536917.tif 000007
【図５】
2016536917.tif 000008
【図６】
2016536917.tif 000009
【図７】
2016536917.tif 000010
【図８】
2016536917.tif 000011
【図９】
2016536917.tif 000012
【図１０】
2016536917.tif 000013
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
ピアツーピアネットワークにおける長距離発見に対する自動利得制御設定を予測するための方法であって、
前記ピアツーピアネットワークにおける短距離発見プロセスのために使用されるリソースの第１のセットの各リソースのエネルギーを推定することと、
前記ピアツーピアネットワークにおける長距離発見プロセスのために使用されるリソースの第２のセットの総エネルギーを予測することと、前記長距離発見プロセスは、前記短距離発見プロセスよりも高い電力レベルでリソースを送信することを備え、前記予測された総エネルギーが、リソースの前記第１のセットの各リソースの前記推定エネルギーに少なくとも部分的に基づく、
リソースの前記第２のセットに対する自動利得制御設定を予測することと、前記自動利得制御設定が、前記予測された総エネルギーに少なくとも部分的に基づいて予測される、を備える方法。
【請求項２】
リソースが短距離発見プロセスのために使用される時間期間が、リソースが長距離発見プロセスのために使用される時間期間より短い、請求項１に記載の方法。
【請求項３】
リソースの前記第１のセットのうちの単一のリソースが、長距離発見プロセスのために使用されるリソースの複数の前記第２のセットにマッピングされる、請求項１に記載の方法。
【請求項４】
リソースの前記複数の前記第２のセットが、１つの時間リソースブロック内で周波数多重化される、請求項３に記載の方法。
【請求項５】
リソースの前記第１のセットの各リソースの前記推定エネルギーを合計することと、
リソースの前記第１のセットの各リソースの前記合計された推定エネルギーに少なくとも部分的に基づいて、ある時間期間の間に、長距離発見プロセスのために使用されるリソースの前記第２のセットの前記総エネルギーを予測することとをさらに備える、請求項１に記載の方法。
【請求項６】
長距離発見プロセスのために使用されるリソースの前記第２のセットの前記総エネルギーを予測することが、
前記合計された推定エネルギーをスケーリングすることを備える、請求項５に記載の方法。
【請求項７】
リソースの前記第１のセットの前記リソースおよびリソースの前記第２のセットの前記リソースが、多重化される時間リソースと周波数リソースとを備える、請求項１に記載の方法。
【請求項８】
前記予測された自動利得制御設定に少なくとも部分的に基づいて長距離発見プロセスのために使用される少なくとも１つの受信機の利得を調整することと、
前記少なくとも１つの受信機の前記利得を調整した後、リソースの前記第２のセットのうちの少なくとも１つのリソースを介して送信を受信することとをさらに備える、請求項１に記載の方法。
【請求項９】
リソースの前記第１のセットの各リソースの前記推定エネルギーに少なくとも部分的に基づいて、今後のエネルギー送信のためにリソースの前記第１のセットのうちの１つのリソースを選択することをさらに備える、請求項１に記載の方法。
【請求項１０】
前記ピアツーピアネットワークにおける少なくとも１つのピアが、リソースの前記第１のセットのうちの少なくとも１つのリソースの上で短距離送信を送信する、請求項１に記載の方法。
【請求項１１】
リソースの前記第１のセット内のリソースの数が、リソースの前記第２のセット内のリソースの数より少ない、請求項１に記載の方法。
【請求項１２】
リソースの前記第２のセットを介してエネルギーを受信する前に、リソースの前記第１のセットを介してエネルギーを受信することをさらに備える、請求項１に記載の方法。
【請求項１３】
ピアツーピアネットワークにおける長距離発見に対する自動利得制御設定を予測するための装置であって、
前記ピアツーピアネットワークにおける短距離発見プロセスのために使用されるリソースの第１のセットの各リソースのエネルギーを推定するための手段と、
前記ピアツーピアネットワークにおける長距離発見プロセスのために使用されるリソースの第２のセットの総エネルギーを予測するための手段と、前記長距離発見プロセスは、前記短距離発見プロセスよりも高い電力レベルでリソースを送信することを備え、前記予測された総エネルギーが、リソースの前記第１のセットの各リソースの前記推定エネルギーに少なくとも部分的に基づく、
リソースの前記第２のセットに対する自動利得制御設定を予測するための手段と、前記自動利得制御設定が、前記予測された総エネルギーに少なくとも部分的に基づいて予測される、を備える装置。
【請求項１４】
リソースが短距離発見プロセスのために使用される時間期間が、リソースが長距離発見プロセスのために使用される時間期間より短い、請求項１３に記載の装置。
【請求項１５】
リソースの前記第１のセットのうちの単一のリソースが、長距離発見プロセスのために使用されるリソースの複数の前記第２のセットにマッピングされる、請求項１３に記載の装置。
【請求項１６】
リソースの前記複数の前記第２のセットが、１つの時間リソースブロック内で周波数多重化される、請求項１５に記載の装置。
【請求項１７】
リソースの前記第１のセットの各リソースの前記推定エネルギーを合計するための手段と、
リソースの前記第１のセットの各リソースの前記合計された推定エネルギーに少なくとも部分的に基づいて、ある時間期間の間に、長距離発見プロセスのために使用されるリソースの前記第２のセットの前記総エネルギーを予測するための手段とをさらに備える、請求項１３に記載の装置。
【請求項１８】
長距離発見プロセスのために使用されるリソースの前記第２のセットの前記総エネルギーを予測するための前記手段が、
前記合計された推定エネルギーをスケーリングするための手段を備える、請求項１７に記載の装置。
【請求項１９】
リソースの前記第１のセットの前記リソースおよびリソースの前記第２のセットの前記リソースが、多重化される時間リソースと周波数リソースとを備える、請求項１３に記載の装置。
【請求項２０】
前記予測された自動利得制御設定に少なくとも部分的に基づいて長距離発見プロセスのために使用される少なくとも１つの受信機の利得を調整するための手段と、
前記少なくとも１つの受信機の前記利得を調整した後、リソースの前記第２のセットのうちの少なくとも１つのリソースを介して送信を受信するための手段とをさらに備える、請求項１３に記載の装置。
【請求項２１】
リソースの前記第１のセットの各リソースの前記推定エネルギーに少なくとも部分的に基づいて、今後のエネルギー送信のためにリソースの前記第１のセットのうちの１つのリソースを選択するための手段をさらに備える、請求項１３に記載の装置。
【請求項２２】
前記ピアツーピアネットワークにおける少なくとも１つのピアが、リソースの前記第１のセットのうちの少なくとも１つのリソースの上で短距離送信を送信する、請求項１３に記載の装置。
【請求項２３】
リソースの前記第１のセット内のリソースの数が、リソースの前記第２のセット内のリソースの数より少ない、請求項１３に記載の装置。
【請求項２４】
リソースの前記第２のセットを介してエネルギーを受信する前に、リソースの前記第１のセットを介してエネルギーを受信するための手段をさらに備える、請求項１３に記載の装置。
【請求項２５】
ピアツーピアネットワークにおける長距離発見に対する自動利得制御設定を予測するための装置であって、
プロセッサと、
前記プロセッサと電子通信しているメモリと、
前記メモリに記憶された命令とを備え、前記命令が、前記プロセッサによって、
前記ピアツーピアネットワークにおける短距離発見プロセスのために使用されるリソースの第１のセットの各リソースのエネルギーを推定することと、
前記ピアツーピアネットワークにおける長距離発見プロセスのために使用されるリソースの第２のセットの総エネルギーを予測することと、前記長距離発見プロセスは、前記短距離発見プロセスよりも高い電力レベルでリソースを送信することを備え、前記予測された総エネルギーが、リソースの前記第１のセットの各リソースの前記推定エネルギーに少なくとも部分的に基づく、
リソースの前記第２のセットに対する自動利得制御設定を予測することと、前記自動利得制御設定が、前記予測された総エネルギーに少なくとも部分的に基づいて予測される、を実行可能である、装置。
【請求項２６】
リソースの前記第１のセットのうちの単一のリソースが、長距離発見プロセスのために使用されるリソースの複数の前記第２のセットにマッピングされる、請求項２５に記載の装置。
【請求項２７】
ワイヤレス通信のためのコンピュータ実行可能コードを記憶する非一時的コンピュータ可読媒体であって、前記コードが、プロセッサによって、
ピアツーピアネットワークにおける短距離発見プロセスのために使用されるリソースの第１のセットの各リソースのエネルギーを推定することと、
前記ピアツーピアネットワークにおける長距離発見プロセスのために使用されるリソースの第２のセットの総エネルギーを予測することと、前記長距離発見プロセスは、前記短距離発見プロセスよりも高い電力レベルでリソースを送信することを備え、前記予測された総エネルギーが、リソースの前記第１のセットの各リソースの前記推定エネルギーに少なくとも部分的に基づく、
リソースの前記第２のセットに対する自動利得制御設定を予測することと、前記自動利得制御設定が、前記予測された総エネルギーに少なくとも部分的に基づいて予測される、を実行可能である、非一時的コンピュータ可読媒体。
【手続補正２】
【補正対象書類名】明細書
【補正対象項目名】００１９
【補正方法】変更
【補正の内容】
【００１９】
[0019]説明される方法および装置の適用可能性のさらなる範囲は、以下の発明を実施するための形態、特許請求の範囲、および図面から明らかになろう。当業者には発明を実施するための形態の範囲内の様々な変更および改変が明らかになるので、発明を実施するための形態および特定の例は、例示として与えられるものにすぎない。
【手続補正３】
【補正対象書類名】明細書
【補正対象項目名】００２５
【補正方法】変更
【補正の内容】
【００２５】
[0032]以下の説明は例を提供するものであり、特許請求の範囲に記載される範囲、適用性、または構成を限定するものではない。本開示の範囲から逸脱することなく、説明される要素の機能および配置において変更が行われ得る。様々な例は、適宜に様々なプロシージャまたは構成要素を省略、置換、または追加し得る。たとえば、説明される方法は、説明されるのとは異なる順序で実施され得、様々なステップが追加、省略、または組み合わされ得る。また、いくつかの例に関して説明する特徴は、他の例において組み合わせられ得る。
【手続補正４】
【補正対象書類名】明細書
【補正対象項目名】０１１４
【補正方法】変更
【補正の内容】
【０１１４】
[0119]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信される場合がある。他の例および実装形態は、本開示および添付の特許請求の範囲の範囲内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の一部が異なる物理的ロケーションに実装されるように分散されることを含めて、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【手続補正５】
【補正対象書類名】明細書
【補正対象項目名】０１１６
【補正方法】変更
【補正の内容】
【０１１６】
[0121]本開示についてのこれまでの説明は、当業者が本開示を構成または使用することができるように与えられる。本開示への様々な修正は当業者には容易に明らかとなり、本明細書で定義された一般原理は、本開示の範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ピアツーピアネットワークにおける長距離発見に対する自動利得制御設定を予測するための方法であって、
リソースの第１のセットの各リソースのエネルギーを推定することと、
前記ピアツーピアネットワークにおける長距離発見のために使用されるリソースの第２のセットの総エネルギーを予測することと、前記予測された総エネルギーが、リソースの前記第１のセットの各リソースの前記推定エネルギーに少なくとも部分的に基づく、
リソースの前記第２のセットに対する自動利得制御設定を予測することと、前記自動利得制御設定が、前記予測された総エネルギーに少なくとも部分的に基づいて予測される、を備える方法。
［Ｃ２］
リソースの前記第１のセットの各リソースの前記エネルギーを推定することが、
前記ピアツーピアネットワークにおける短距離発見のために使用されるリソース当たりのエネルギーを推定することを備える、Ｃ１に記載の方法。
［Ｃ３］
リソースが短距離発見のために使用される時間期間が、リソースが長距離発見のために使用される時間期間より短い、Ｃ２に記載の方法。
［Ｃ４］
リソースの前記第１のセットのうちの単一のリソースが、長距離発見のために使用されるリソースの複数の前記第２のセットにマッピングされる、Ｃ１に記載の方法。
［Ｃ５］
リソースの前記複数の前記第２のセットが、１つの時間リソースブロック内で周波数多重化される、Ｃ４に記載の方法。
［Ｃ６］
リソースの前記第１のセットの各リソースの前記推定エネルギーを合計することと、
リソースの前記第１のセットの各リソースの前記合計された推定エネルギーに少なくとも部分的に基づいて、ある時間期間の間に、長距離発見のために使用されるリソースの前記第２のセットの前記総エネルギーを予測することとをさらに備える、Ｃ１に記載の方法。
［Ｃ７］
長距離発見のために使用されるリソースの前記第２のセットの前記総エネルギーを予測することが、
前記合計された推定エネルギーをスケーリングすることを備える、Ｃ６に記載の方法。
［Ｃ８］
リソースの前記第１のセットの前記リソースおよびリソースの前記第２のセットの前記リソースが、多重化される時間リソースと周波数リソースとを備える、Ｃ１に記載の方法。
［Ｃ９］
前記予測された自動利得制御設定に少なくとも部分的に基づいて長距離発見のために使用される少なくとも１つの受信機の利得を調整することと、
前記少なくとも１つの受信機の前記利得を調整した後、リソースの前記第２のセットのうちの少なくとも１つのリソースを介して送信を受信することとをさらに備える、Ｃ１に記載の方法。
［Ｃ１０］
リソースの前記第１のセットの各リソースの前記推定エネルギーに少なくとも部分的に基づいて、今後のエネルギー送信のためにリソースの前記第１のセットのうちの１つのリソースを選択することをさらに備える、Ｃ１に記載の方法。
［Ｃ１１］
前記ピアツーピアネットワークにおける少なくとも１つのピアが、リソースの前記第１のセットのうちの少なくとも１つのリソースの上で短距離送信を送信する、Ｃ１に記載の方法。
［Ｃ１２］
リソースの前記第１のセット内のリソースの数が、リソースの前記第２のセット内のリソースの数より少ない、Ｃ１に記載の方法。
［Ｃ１３］
リソースの前記第２のセットを介してエネルギーを受信する前に、リソースの前記第１のセットを介してエネルギーを受信することをさらに備える、Ｃ１に記載の方法。
［Ｃ１４］
ピアツーピアネットワークにおける長距離発見に対する自動利得制御設定を予測するための装置であって、
リソースの第１のセットの各リソースのエネルギーを推定するための手段と、
前記ピアツーピアネットワークにおける長距離発見のために使用されるリソースの第２のセットの総エネルギーを予測するための手段と、前記予測された総エネルギーが、リソースの前記第１のセットの各リソースの前記推定エネルギーに少なくとも部分的に基づく、
リソースの前記第２のセットに対する自動利得制御設定を予測するための手段と、前記自動利得制御設定が、前記予測された総エネルギーに少なくとも部分的に基づいて予測される、を備える装置。
［Ｃ１５］
リソースの前記第１のセットの各リソースの前記エネルギーを推定するための前記手段が、
前記ピアツーピアネットワークにおける短距離発見のために使用されるリソース当たりのエネルギーを推定するための手段を備える、Ｃ１４に記載の装置。
［Ｃ１６］
リソースが短距離発見のために使用される時間期間が、リソースが長距離発見のために使用される時間期間より短い、Ｃ１５に記載の装置。
［Ｃ１７］
リソースの前記第１のセットのうちの単一のリソースが、長距離発見のために使用されるリソースの複数の前記第２のセットにマッピングされる、Ｃ１４に記載の装置。
［Ｃ１８］
リソースの前記複数の前記第２のセットが、１つの時間リソースブロック内で周波数多重化される、Ｃ１７に記載の装置。
［Ｃ１９］
リソースの前記第１のセットの各リソースの前記推定エネルギーを合計するための手段と、
リソースの前記第１のセットの各リソースの前記合計された推定エネルギーに少なくとも部分的に基づいて、ある時間期間の間に、長距離発見のために使用されるリソースの前記第２のセットの前記総エネルギーを予測するための手段とをさらに備える、Ｃ１４に記載の装置。
［Ｃ２０］
長距離発見のために使用されるリソースの前記第２のセットの前記総エネルギーを予測するための前記手段が、
前記合計された推定エネルギーをスケーリングするための手段を備える、Ｃ１９に記載の装置。
［Ｃ２１］
リソースの前記第１のセットの前記リソースおよびリソースの前記第２のセットの前記リソースが、多重化される時間リソースと周波数リソースとを備える、Ｃ１４に記載の装置。
［Ｃ２２］
前記予測された自動利得制御設定に少なくとも部分的に基づいて長距離発見のために使用される少なくとも１つの受信機の利得を調整するための手段と、
前記少なくとも１つの受信機の前記利得を調整した後、リソースの前記第２のセットのうちの少なくとも１つのリソースを介して送信を受信するための手段とをさらに備える、Ｃ１４に記載の装置。
［Ｃ２３］
リソースの前記第１のセットの各リソースの前記推定エネルギーに少なくとも部分的に基づいて、今後のエネルギー送信のためにリソースの前記第１のセットのうちの１つのリソースを選択するための手段をさらに備える、Ｃ１４に記載の装置。
［Ｃ２４］
前記ピアツーピアネットワークにおける少なくとも１つのピアが、リソースの前記第１のセットのうちの少なくとも１つのリソースの上で短距離送信を送信する、Ｃ１４に記載の装置。
［Ｃ２５］
リソースの前記第１のセット内のリソースの数が、リソースの前記第２のセット内のリソースの数より少ない、Ｃ１４に記載の装置。
［Ｃ２６］
リソースの前記第２のセットを介してエネルギーを受信する前に、リソースの前記第１のセットを介してエネルギーを受信するための手段をさらに備える、Ｃ１４に記載の装置。
［Ｃ２７］
ピアツーピアネットワークにおける長距離発見に対する自動利得制御設定を予測するための装置であって、
プロセッサと、
前記プロセッサと電子通信しているメモリと、
前記メモリに記憶された命令とを備え、前記命令が、前記プロセッサによって、
リソースの第１のセットの各リソースのエネルギーを推定することと、
前記ピアツーピアネットワークにおける長距離発見のために使用されるリソースの第２のセットの総エネルギーを予測することと、前記予測された総エネルギーが、リソースの前記第１のセットの各リソースの前記推定エネルギーに少なくとも部分的に基づく、
リソースの前記第２のセットに対する自動利得制御設定を予測することと、前記自動利得制御設定が、前記予測された総エネルギーに少なくとも部分的に基づいて予測される、を実行可能である、装置。
［Ｃ２８］
リソースの前記第１のセットの各リソースの前記エネルギーを推定することを前記プロセッサによって実行可能である前記命令が、
前記ピアツーピアネットワークにおける短距離発見のために使用されるリソース当たりのエネルギーを推定することを前記プロセッサによって実行可能である命令を備える、Ｃ２７に記載の装置。
［Ｃ２９］
リソースの前記第１のセットのうちの単一のリソースが、長距離発見のために使用されるリソースの複数の前記第２のセットにマッピングされる、Ｃ２７に記載の装置。
［Ｃ３０］
ワイヤレス通信のためのコンピュータ実行可能コードを記憶する非一時的コンピュータ可読媒体であって、前記コードが、プロセッサによって、
リソースの第１のセットの各リソースのエネルギーを推定することと、
前記ピアツーピアネットワークにおける長距離発見のために使用されるリソースの第２のセットの総エネルギーを予測することと、前記予測された総エネルギーが、リソースの前記第１のセットの各リソースの前記推定エネルギーに少なくとも部分的に基づく、
リソースの前記第２のセットに対する自動利得制御設定を予測することと、前記自動利得制御設定が、前記予測された総エネルギーに少なくとも部分的に基づいて予測される、を実行可能である、装置。
【国際調査報告】
2016536917.tif 000014
2016536917.tif 000015